(57)【要約】【課題】より無線信号の送受信における信号品質を向上すること。【解決手段】本発明に係る携帯無線機９は、無線信号を送受信するアンテナ９０を有する。携帯無線機９は、アンテナ９０の共振周波数を調整するチューナブルデバイス９１と、携帯無線機９に対する物体の接触状態又は近接状態を検出し、検出した接触状態又は近接状態に対応するセンサ値を出力するセンサ９２と、チューナブルデバイス９１を制御する制御部９３を備える。制御部９３は、センサ９２から出力されたセンサ値に基づいて、センサ値に対応する物体の接触状態又は近接状態によって生じるアンテナ９０の共振周波数のずれを低減するように、チューナブルデバイス９１を制御してアンテナ９０の共振周波数を補正する。【選択図】図３
2015046745.tif 000002
【特許請求の範囲】
【請求項１】
無線信号を送受信するアンテナを有する携帯無線機であって、
前記アンテナの共振周波数を調整するチューナブルデバイスと、
前記携帯無線機に対する物体の接触状態又は近接状態を検出し、検出した接触状態又は近接状態に対応するセンサ値を出力するセンサと、
前記チューナブルデバイスを制御する制御部と、を備え、
前記制御部は、前記センサから出力されたセンサ値に基づいて、当該センサ値に対応する前記物体の接触状態又は近接状態によって生じる前記アンテナの共振周波数のずれを低減するように、前記チューナブルデバイスを制御して前記アンテナの共振周波数を補正する、
携帯無線機。
【請求項２】
前記携帯無線機は、さらに、第１の電極と、第２の電極とを備え、
前記センサは、前記物体の接触状態として、前記物体の接触状態に応じて変化する前記第１の電極と前記第２の電極の間の静電容量を検出し、検出した静電容量を示す値を前記センサ値として出力するグリップセンサであり、
前記制御部は、前記センサから出力されたセンサ値が示す静電容量が所定の第１の閾値以下であると判定した場合、前記アンテナの共振周波数を補正した状態とし、当該センサ値が示す静電容量が所定の第２の閾値以下でないと判定した場合、前記アンテナの共振周波数の補正をしない状態とする、
請求項１に記載の携帯無線機。
【請求項３】
前記携帯無線機は、さらに、第１の電極と、第２の電極とを備え、
前記センサは、前記物体の近接状態として、前記物体の近接状態に応じて変化する前記第１の電極と前記第２の電極の間の静電容量を検出し、検出した静電容量を示す値を前記センサ値として出力するグリップセンサであり、
前記制御部は、前記センサから出力されたセンサ値が示す静電容量の変化が大きくなるに従って、前記アンテナの共振周波数の補正量が大きくなるように、前記アンテナの共振周波数を補正する、
請求項１に記載の携帯無線機。
【請求項４】
前記携帯無線機は、さらに、第１の電極と、第２の電極と、第３の電極と、第４の電極とを備え、
前記アンテナは、前記第１の電極及び前記第２の電極よりも前記第３の電極及び前記第４の電極に近い位置に配設されており、
前記センサは、前記物体の接触状態として、前記物体の接触状態に応じて変化する前記第１の電極と前記第２の電極の間の静電容量を第１の静電容量として検出し、検出した第１の静電容量を示す値を前記センサ値として出力する第１のグリップセンサと、前記物体の接触状態として、前記物体の接触状態に応じて変化する前記第３の電極と前記第４の電極の間の静電容量を第２の静電容量として検出し、検出した第２の静電容量を示す値を前記センサ値として出力する第２のグリップセンサと、を含み、
前記制御部は、前記第１のグリップセンサ及び前記第２のグリップセンサから出力されたセンサ値のそれぞれが示す第１の静電容量及び第２の静電容量について、前記第２の静電容量が所定の第２の閾値以下であると判定した場合、前記アンテナの共振周波数の補正量が第１の補正量となり、前記第１の静電容量が所定の第１の閾値以下であると判定した場合、前記アンテナの共振周波数の補正量が前記第１の補正量よりも小さい第２の補正量となるように、前記アンテナの共振周波数を補正する、
請求項１に記載の携帯無線機。
【請求項５】
前記センサは、前記物体の近接状態として、前記センサと前記物体との距離を検出し、検出した距離を示す値を前記センサ値として出力する近接センサであり、
前記制御部は、前記センサから出力されたセンサ値が示す距離が所定の閾値以下であると判定した場合、前記アンテナの共振周波数を補正した状態とし、当該センサ値が示す距離が所定の閾値以下でないと判定した場合、前記アンテナの共振周波数の補正をしない状態とする、
請求項１に記載の携帯無線機。
【請求項６】
前記センサは、前記物体の近接状態として、前記センサと前記物体との距離を検出し、検出した距離を示す値を前記センサ値として出力する近接センサであり、
前記制御部は、前記センサから出力されたセンサ値が示す距離の変化が大きくなるに従って、前記アンテナの共振周波数の補正量が大きくなるように、前記アンテナの共振周波数を補正する、
請求項１に記載の携帯無線機。
【請求項７】
前記携帯無線機は、さらに、実行時に前記携帯無線機に対して前記物体が接触又は近接するとして予め定められたプログラムが格納される記憶部を備え、
前記制御部は、前記記憶部に格納されたプログラムを実行中であると判定した場合、前記アンテナの共振周波数を補正した状態とし、前記記憶部に格納されたプログラムを実行中でないと判定した場合、前記アンテナの共振周波数の補正をしない状態とする、
請求項１乃至６のいずれか１項に記載の携帯無線機。
【請求項８】
前記携帯無線機は、さらに、前記物体の近接状態として、前記センサと前記物体との距離を検出し、検出した距離を示す値を前記センサ値として出力する近接センサを有し、
前記制御部は、前記グリップセンサから出力されたセンサ値が示す静電容量が所定の閾値以下であり、かつ、前記近接センサから出力されたセンサ値が示す距離が所定の閾値以下であると判定した場合、前記アンテナの共振周波数を補正した状態とし、前記グリップセンサから出力されたセンサ値が示す静電容量が所定の閾値以下でない、又は、前記近接センサから出力されたセンサ値が示す距離が所定の閾値以下でないと判定した場合、前記アンテナの共振周波数の補正をしない状態とする、
請求項２に記載の携帯無線機。
【請求項９】
前記携帯無線機は、さらに、実行時に前記携帯無線機に対して前記物体が接触又は近接するとして予め定められたプログラムが格納される記憶部を備え、
前記制御部は、前記グリップセンサから出力されたセンサ値が示す静電容量が所定の閾値以下であり、かつ、前記記憶部に格納されたプログラムを実行中であると判定した場合、前記アンテナの共振周波数を補正した状態とし、前記グリップセンサから出力されたセンサ値が示す静電容量が所定の閾値以下でない、又は、前記記憶部に格納されたプログラムを実行中でないと判定した場合、前記アンテナの共振周波数の補正をしない状態とする、
請求項２に記載の携帯無線機。
【請求項１０】
前記携帯無線機は、さらに、実行時に前記携帯無線機に対して前記物体が接触又は近接するとして予め定められたプログラムが格納される記憶部を備え、
前記制御部は、前記近接センサから出力されたセンサ値が示す距離が所定の閾値以下であり、かつ、前記記憶部に格納されたプログラムを実行中であると判定した場合、前記アンテナの共振周波数を補正した状態とし、前記近接センサから出力されたセンサ値が示す距離が所定の閾値以下でない、又は、前記記憶部に格納されたプログラムを実行中でないと判定した場合、前記アンテナの共振周波数の補正をしない状態とする、
請求項５に記載の携帯無線機。
【請求項１１】
前記アンテナは、第１のアンテナであり、
前記チューナブルデバイスは、第１のチューナブルデバイスであり、
前記センサは、第１のセンサであり、
前記携帯無線機は、さらに、
無線信号を送受信する第２のアンテナと、
前記第２のアンテナの共振周波数を調整する第２のチューナブルデバイスと、
前記第１のアンテナよりも前記第２のアンテナに近い位置における、前記物体の接触状態又は近接状態を検出し、検出した接触状態又は近接状態に対応するセンサ値を出力する第２のセンサと、を備え、
前記制御部は、さらに、前記第２のチューナブルデバイスを制御し、前記第２のセンサから出力されたセンサ値に基づいて、当該センサ値に対応する前記物体の接触状態又は近接状態によって生じる前記第２のアンテナの共振周波数のずれを低減するように、前記第２のチューナブルデバイスを制御して前記第２のアンテナの共振周波数を補正し、
前記第１のセンサは、前記第２のアンテナよりも前記第１のアンテナに近い位置における、前記物体の接触状態又は近接状態を検出し、
前記制御部は、前記第１のセンサから出力されたセンサ値に対応する前記物体の接触状態又は近接状態、及び、前記第２のセンサから出力されたセンサ値に対応する前記物体の接触状態又は近接状態の少なくとも１つに基づいて、前記第１のセンサ及び前記第２のセンサのうち、前記第１のセンサで前記物体の接触又は近接が検出されていると判定した場合、前記第２のチューナブルデバイスよりも前記第１のチューナブルデバイスに対する前記第１のアンテナの共振周波数の補正量を大きくする、
請求項１に記載の携帯無線機。
【請求項１２】
前記携帯無線機は、さらに、前記携帯無線機が基地局との通信で使用するチャンネルを示すバンド情報を受信した場合、当該バンド情報が示すチャンネルの少なくとも１つの周波数帯域間における中心周波数に近づけるように、前記チューナブルデバイスを制御して前記アンテナの共振周波数を設定する処理回路を備えた、
請求項１乃至１１のいずれか１項に記載の携帯無線機。
【請求項１３】
前記チューナブルデバイスは、さらに、前記アンテナの共振周波数を調整するために前記アンテナに直列に接続されて前記アンテナの静電容量を変更する可変コンデンサと、前記アンテナに並列に接続されるコイルを有し、
前記コイルは、前記携帯無線機が人体の影響を受けていない状態において、前記携帯無線機が送受信する無線信号の周波数における前記アンテナのインピーダンスがスミスチャートにおいて上半面に位置するように予め設定されたインダクタンスを有している、
請求項１乃至１２のいずれか１項に記載の携帯無線機。
【請求項１４】
無線信号を送受信するアンテナを有する携帯無線機において、前記アンテナの共振周波数を調整する共振周波数調整方法であって、
センサによって前記携帯無線機に対する物体の接触状態又は近接状態を検出し、検出した接触状態又は近接状態に対応するセンサ値を生成するステップと、
前記生成されたセンサ値に基づいて、当該センサ値に対応する前記物体の接触状態又は近接状態によって生じる前記アンテナの共振周波数のずれを低減するように、前記アンテナの共振周波数を調整するチューナブルデバイスを制御して前記アンテナの共振周波数を補正するステップと、
を備えた共振周波数調整方法。
【請求項１５】
無線信号を送受信するアンテナを有する携帯無線機において、前記アンテナの共振周波数を調整するための共振周波数調整プログラムであって、
前記携帯無線機に対する物体の接触状態又は近接状態を検出し、検出した接触状態又は近接状態に対応するセンサ値を出力するセンサから、前記センサ値の出力を受ける処理と、
前記出力を受けたセンサ値に基づいて、当該センサ値に対応する前記物体の接触状態又は近接状態によって生じる前記アンテナの共振周波数のずれを低減するように、前記アンテナの共振周波数を調整するチューナブルデバイスを制御して前記アンテナの共振周波数を補正する処理と、
を前記携帯無線機に実行させる共振周波数調整プログラム。
【発明の詳細な説明】
【技術分野】
【０００１】
本発明は、携帯無線機、共振周波数調整方法、及び共振周波数調整プログラムに関し、特に、アンテナの共振周波数を調整する技術に関する。
【背景技術】
【０００２】
近年、携帯端末は、様々な周波数の無線信号を送受信可能とする必要がある。そこで、携帯端末では、チューナブルアンテナを用いて、アンテナの共振周波数（同調周波数）を調整することで、様々な周波数の無線信号を送受信可能としている。一方で、人体が携帯端末に近接することで、アンテナのインピーダンスが変化し、アンテナの共振周波数が所望の周波数からずれてしまい、アンテナ特性が劣化してしまうという問題も発生している。
【０００３】
このような問題に関し、特許文献１には、アンテナに近接する人体の影響によりアンテナの同調周波数が変動した場合に、受信信号の受信品質が最良となるようにアンテナの同調周波数を補正することを目的とした受信装置が開示されている。この受信装置は、ＣＮＲ（Carrier to Noise Ratio）を測定し、ＣＮＲの測定結果に基づいてアンテナの同調周波数を調整する。
【先行技術文献】
【特許文献】
【０００４】
【特許文献１】特開２０１１−１３９２０２号公報
【発明の概要】
【発明が解決しようとする課題】
【０００５】
しかしながら、特許文献１に開示の技術は、ＣＮＲの測定結果に基づいて、受信信号の受信状態のみが最適となるように調整ものであり、送信信号及び受信信号の信号品質を総合的に最適化にすることができないという課題がある。
【０００６】
本発明の目的は、上述したような課題を解決するために、より無線信号の送受信における信号品質を向上することができる携帯無線機、共振周波数調整方法、及び共振周波数調整プログラムを提供することである。
【課題を解決するための手段】
【０００７】
本発明の第１の態様に係る携帯無線機は、無線信号を送受信するアンテナを有する携帯無線機であって、前記アンテナの共振周波数を調整するチューナブルデバイスと、前記携帯無線機に対する物体の接触状態又は近接状態を検出し、検出した接触状態又は近接状態に対応するセンサ値を出力するセンサと、前記チューナブルデバイスを制御する制御部と、を備え、前記制御部は、前記センサから出力されたセンサ値に基づいて、当該センサ値に対応する前記物体の接触状態又は近接状態によって生じる前記アンテナの共振周波数のずれを低減するように、前記チューナブルデバイスを制御して前記アンテナの共振周波数を補正するものである。
【０００８】
本発明の第２の態様に係る共振周波数調整方法は、無線信号を送受信するアンテナを有する携帯無線機において、前記アンテナの共振周波数を調整する共振周波数調整方法であって、センサによって前記携帯無線機に対する物体の接触状態又は近接状態を検出し、検出した接触状態又は近接状態に対応するセンサ値を生成するステップと、前記生成されたセンサ値に基づいて、当該センサ値に対応する前記物体の接触状態又は近接状態によって生じる前記アンテナの共振周波数のずれを低減するように、前記アンテナの共振周波数を調整するチューナブルデバイスを制御して前記アンテナの共振周波数を補正するステップと、を備えたものである。
【０００９】
本発明の第３の態様に係る共振周波数調整プログラムは、無線信号を送受信するアンテナを有する携帯無線機において、前記アンテナの共振周波数を調整するための共振周波数調整プログラムであって、前記携帯無線機に対する物体の接触状態又は近接状態を検出し、検出した接触状態又は近接状態に対応するセンサ値を出力するセンサから、前記センサ値の出力を受ける処理と、前記出力を受けたセンサ値に基づいて、当該センサ値に対応する前記物体の接触状態又は近接状態によって生じる前記アンテナの共振周波数のずれを低減するように、前記アンテナの共振周波数を調整するチューナブルデバイスを制御して前記アンテナの共振周波数を補正する処理と、を前記携帯無線機に実行させるものである。
【発明の効果】
【００１０】
上述した本発明の各態様によれば、より無線信号の送受信における信号品質を向上することができる携帯無線機、共振周波数調整方法、及び共振周波数調整プログラムを提供することができる。
【図面の簡単な説明】
【００１１】
【図１】実施の形態１に係る携帯端末の外部構成を示す構成図である。
【図２】実施の形態１に係る携帯端末の内部構成を示す構成図である。
【図３】３ＧＰＰにおいて規定される周波数バンドを示す図である。
【図４Ａ】携帯端末が把持されていない状態における電極間の静電容量と閾値との関係を示す図である。
【図４Ｂ】携帯端末が把持されている状態における電極間の静電容量と閾値との関係を示す図である。
【図５】実施の形態１に係るアンテナ特性改善のメカニズムを説明するための図である。
【図６】実施の形態１に係る携帯端末のアンテナ特性改善処理を示すフローチャートである。
【図７】本実施の形態１を適用しない場合と、本実施の形態１を適用した場合におけるＴＲＰの実測値の違いを示す図である。
【図８Ａ】実施の形態１を適用しない場合におけるアンテナのリターンロスの実測値を示す図である。
【図８Ｂ】実施の形態１を適用した場合におけるアンテナのリターンロスの実測値を示す図である。
【図９】実施の形態２に係る携帯端末の内部構成を示す構成図である。
【図１０】実施の形態２に係る携帯端末のアンテナ特性改善処理を示すフローチャートである。
【図１１】実施の形態３に係る携帯端末の外部構成を示す構成図である。
【図１２】実施の形態３に係る携帯端末の内部構成を示す構成図である。
【図１３Ａ】携帯端末が左手で把持された場合における携帯端末の状態を示す図である。
【図１３Ｂ】携帯端末が右手で把持された場合における携帯端末の状態を示す図である。
【図１４Ａ】携帯端末が把持されていない状態における電極間の静電容量と閾値との関係を示す図である。
【図１４Ｂ】携帯端末が把持されている状態（アンテナへの人体の影響が比較的大きい）における電極間の静電容量と閾値との関係を示す図である。
【図１４Ｃ】携帯端末が把持されている状態（アンテナへの人体の影響が比較的小さい）における電極間の静電容量と閾値との関係を示す図である。
【図１５】実施の形態３に係る携帯端末のアンテナ特性改善処理を示すフローチャートである。
【図１６】実施の形態４に係る携帯端末の外部構成を示す構成図である。
【図１７】実施の形態４に係る携帯端末の内部構成を示す構成図である。
【図１８】実施の形態４に係る携帯端末のアンテナ特性改善処理を示すフローチャートである。
【図１９】実施の形態５に係る携帯端末の内部構成を示す構成図である。
【図２０】実施の形態５に係る携帯端末のアンテナ特性改善処理を示すフローチャートである。
【図２１】実施の形態６に係る携帯端末の内部構成を示す構成図である。
【図２２】実施の形態６に係る携帯端末のアンテナ特性改善処理を示すフローチャートである。
【図２３】実施の形態７に係る携帯端末の外部構成を示す構成図である。
【図２４】実施の形態７に係る携帯端末の内部構成を示す構成図である。
【図２５】実施の形態７に係る携帯端末のアンテナ特性改善処理を示すフローチャートである。
【図２６】実施の形態８に係る携帯端末の外部構成を示す構成図である。
【図２７】実施の形態８に係る携帯端末の内部構成を示す構成図である。
【図２８Ａ】携帯端末の下側が把持された場合における携帯端末の状態を示す図である。
【図２８Ｂ】携帯端末の上側が把持された場合における携帯端末の状態を示す図である。
【図２９Ａ】携帯端末が把持されていない状態における電極間の静電容量と閾値との関係を示す図である。
【図２９Ｂ】携帯端末の下側が把持されている状態における電極間の静電容量と閾値との関係を示す図である。
【図２９Ｃ】携帯端末の上側が把持されている状態における電極間の静電容量と閾値との関係を示す図である。
【図３０】実施の形態８に係る携帯端末のアンテナ特性改善処理を示すフローチャートである。
【図３１】実施の形態８の変形例１に係る携帯端末の外部構成を示す構成図である。
【図３２】実施の形態８の変形例１に係る携帯端末の内部構成を示す構成図である。
【図３３】実施の形態８の変形例２に係る携帯端末の外部構成を示す構成図である。
【図３４】実施の形態８の変形例２に係る携帯端末の内部構成を示す構成図である。
【図３５】実施の形態１０に係る携帯端末の内部構成を示す構成図である。
【図３６Ａ】使用される周波数バンドと選択される共振周波数の一例を示す図である。
【図３６Ｂ】使用されるチャンネルと選択される共振周波数の一例を示す図である。
【図３７】実施の形態１０に係るチューナブルデバイスの内部構成を示す構成図である。
【図３８】スミスチャートを示す図である。
【図３９】アドミンタンスチャートを示す図である。
【図４０】実施の形態に係る携帯端末の概略構成を示す構成図である。
【図４１】他の実施の形態に係る携帯端末の内部構成を示す構成図である。
【発明を実施するための形態】
【００１２】
＜発明の実施の形態１＞
本発明の実施の形態１について説明する。まず、図１を参照して、本実施の形態１に係る携帯端末１の外部構成について説明する。図１は、本実施の形態１に係る携帯端末１の外部構成を示す構成図である。以下、各実施の形態では、携帯端末１が携帯電話である場合について説明するが、任意の無線信号を送受信する端末であれば、どのような端末を使用するようにしてもよい。
【００１３】
携帯端末１は、スピーカー（受話口）１０、マイクロフォン（以下、「マイク」と呼ぶ）（送話口）１１、タッチパネル１２、キー１３、及び電極１４ａ、１４ｂを有する。
【００１４】
スピーカー１０、マイク１１、タッチパネル１２、及びキー１３は、携帯端末１の同一面に配設されている。電極１４ａ、１４ｂは、使用者が携帯端末１を把持したときに使用者の手と接触するように、携帯端末１の左右の両端に配設されている。電極１４ａは、携帯端末１の左端に配設されており、電極１４ｂは、携帯端末１の右端に配設されている。ここで、携帯端末１をタッチパネル１２等が配設されている面から見た場合において、携帯端末１の長手方向（図１の上下方向）を上下方向とし、携帯端末１の短手方向（図１の左右方向）を左右方向として説明する。電極１４ａと電極１４ｂは、携帯端末１の左右方向において互いにその少なくとも一部が重複する位置に配設されている。
【００１５】
例えば、電極１４ａ、１４ｂは、使用者が携帯端末１を把持したときに、一方に使用者の親指が接触し、他方に使用者の人差し指乃至小指の少なくとも１つが接触するように配設されている。なお、電極１４ａ、１４ｂの大きさは、任意の大きさとしてよい。
【００１６】
スピーカー１０は、携帯端末１が受信した無線信号又は携帯端末１に記憶された情報に基づく音声を出音する。マイク１１は、使用者の音声を無線信号に変換して他の携帯端末に送信可能とするために、使用者の音声を取り込み、電気信号に変換する。
【００１７】
タッチパネル１２は、使用者に対して任意の画像を表示する表示装置として機能するとともに、使用者からの入力を受け付ける入力装置として機能する。キー１３は、タッチパネル１２と共に、使用者からの入力を受け付ける入力装置として機能する。例えば、キー１３は、タッチパネル１２が点灯している場合における使用者からの入力に応じてタッチパネル１２を消灯させたスリープ状態に携帯端末１を遷移させるスリープキー、及び、タッチパネル１２が消灯している場合における使用者からの入力に応じてタッチパネル１２を点灯させたウェイクアップ状態に携帯端末１を遷移させるウェイクアップキーとして機能する。
【００１８】
電極１４ａ、１４ｂは、使用者により携帯端末１が把持されているか否かを検出するために設けられている。すなわち、携帯端末１が使用者により把持された場合に発生する、電極１４ａ、１４ｂの間の静電容量の変化を検出することで、携帯端末１が使用者により把持されているか否かを検出することが可能となる。
【００１９】
続いて、図２を参照して、本実施の形態１に係る携帯端末１の内部構成について説明する。図２は、本実施の形態１に係る携帯端末１の内部構成を示す構成図である。
【００２０】
携帯端末１は、アンテナ２０、チューナブルデバイス２１、ＦＥＭ（Front End Module）２２、ＲＦＩＣ（Radio Frequency Integrated Circuit：高周波集積回路）２３、グリップセンサ２４、及び制御部２５を有する。
【００２１】
アンテナ２０は、チューナブルデバイス２１から出力された送信信号を外部に向けて無線信号として送信する。アンテナ２０は、外部からの無線信号を受信信号として受信し、受信した受信信号をチューナブルデバイス２１に送信する。これらの無線信号は、例えば、基地局を介して他の携帯端末との間で送受信される信号となる。
【００２２】
チューナブルデバイス２１は、アンテナ２０の直下に配置される。チューナブルデバイス２１は、アンテナ２０のインピーダンスを調整して、アンテナ２０の共振周波数を調整する。チューナブルデバイス２１は、ＲＦＩＣ２３から出力されたパラメータ設定信号が示すパラメータが設定される。チューナブルデバイス２１は、パラメータ設定信号によって設定されたパラメータに応じた周波数となるように、アンテナ２０の共振周波数を調整する。具体的には、チューナブルデバイス２１は、可変コンデンサを有しており、その可変コンデンサの静電容量を変更することで、アンテナ２０の共振周波数を調整する。可変コンデンサは、例えば、複数の固定コンデンサを有しており、それらの固定コンデンサの接続を切り替えスイッチにより選択的に切り替えることで段階的に任意の静電容量に調整可能とされている可変雲母コンデンサである。パラメータ設定信号によって示すことができるパラメータのそれぞれは、チューナブルデバイス２１において変更可能な静電容量のそれぞれと、予め対応付けられている。これにより、チューナブルデバイス２１は、チューナブルデバイス２１の静電容量を、パラメータ設定信号によって設定されたパラメータに対応する静電容量に変更する。これにより、アンテナ２０のインピーダンスを調整し、アンテナ２０の共振周波数を所望の周波数に調整することを可能とする。
【００２３】
アンテナ２０から出力された受信信号は、チューナブルデバイス２１を介してＦＥＭ２２に出力される。ＦＥＭ２２から出力された送信信号は、チューナブルデバイス２１を介してアンテナ２０に出力される。これにより、受信信号及び送信信号は、アンテナ２０の共振周波数がチューナブルデバイス２１によって最適化された環境下で送受信される。
【００２４】
ＦＥＭ２２は、所望の周波数を中心とした所定帯域幅の周波数帯域以外の信号を抑制することで、所望の周波数を中心とした所定帯域幅の周波数帯域の信号を通過させてノイズを除去する等の動作を行う。
【００２５】
ＲＦＩＣ２３は、制御部２５から出力された送信信号を、ＩＦ信号からＲＦ信号に変換し、ＦＥＭ２２に出力する。ＲＦＩＣ２３は、ＦＥＭ２２から出力された受信信号を、ＲＦ信号からＩＦ信号に変換し、制御部２５に出力する。
【００２６】
ここで、携帯端末１は、マルチバンドに対応した携帯端末である。図３は、「３ＧＰＰ  ＴＳ２５．４６１  ｖ１１．２．０（２０１２−１２）」に規定された周波数バンドを示している。携帯端末１が使用可能な周波数バンドとして、例えば、図３に示す複数の周波数バンドのうち、少なくとも１つの任意の周波数バンドを予め定めることができる。ここで、携帯端末１は、このように予め任意に定めた２つ以上の周波数バンドのうち、いずれかの周波数バンドを選択的に使用して通信を行うものとして説明する。
【００２７】
これに対して、ＲＦＩＣ２３は、通信中の周波数バンドをスキャンし、スキャンした周波数バンドにおける周波数の無線信号が処理対象となるようにチューナブルデバイス２１を制御する。具体的には、ＲＦＩＣ２３は、無線信号（例えば受信信号）において、最も感度の良い周波数を検出し、検出した周波数を含む周波数バンドにおける周波数が共振周波数となるパラメータを設定するパラメータ設定信号をチューナブルデバイス２１に出力する。例えば、ＲＦＩＣ２３は、検出した周波数を含む周波数バンドの中心周波数が共振周波数となるパラメータを設定するパラメータ設定信号をチューナブルデバイス２１に出力するようにしてもよい。すなわち、ＲＦＩＣ２３は、通信中の周波数バンドであるとしてスキャンした周波数バンドにおける周波数が共振周波数となるパラメータを設定するパラメータ設定信号を出力する。これにより、通信中の周波数バンドが変更されて、受信信号及び送信信号の周波数が変更された場合であっても、通信中の周波数バンドを特定して、変更後の周波数バンドに応じた受信信号及び送信信号の送受信を可能とする。
【００２８】
ここで、ＲＦＩＣ２３は、上記パラメータとして、周波数バンド毎に、使用者（人体）の影響に関する携帯端末１の状態（Ｓｃｅｎａｒｉｏ１、Ｓｃｅｎａｒｉｏ２）のそれぞれに応じたパラメータを予め保持している。これらのパラメータは、上述のパラメータ設定信号によってチューナブルデバイス２１に設定するパラメータとなる。よって、図２では、ある１つの周波数バンドにおける携帯端末１の状態（Ｓｃｅｎａｒｉｏ１、Ｓｃｅｎａｒｉｏ２）のそれぞれに応じたパラメータのみを例示的に図示しており、他の周波数バンドにおけるセンサの状態（Ｓｃｅｎａｒｉｏ１、Ｓｃｅｎａｒｉｏ２）のそれぞれに応じたパラメータは図示を省略している。パラメータは、ＲＦＩＣ２３が有する記憶装置に格納されている。この記憶装置は、例えば、レジスタ又はメモリ等の記憶装置である。ＲＦＩＣ２３は、後述するように使用者（人体）の影響によるアンテナ２０のインピーダンスの変化による共振周波数のずれを補正するために、このように携帯端末１の状態のそれぞれに適合した複数のパラメータを保持している。
【００２９】
ここで、Ｓｃｅｎａｒｉｏ１は、携帯端末１に対する人体の接触がグリップセンサ２４によって検出されておらず、携帯端末１が自由空間上にある状態を示しており、Ｓｃｅｎａｒｉｏ２は、携帯端末１に対する人体の接触がグリップセンサ２４によって検出されている状態を示している。すなわち、Ｓｃｅｎａｒｉｏ２のパラメータで設定される静電容量は、グリップセンサ２４によって検出される人体の接触による共振周波数のずれが補正される静電容量となる。言い換えると、人体の影響を受けている状態でＳｃｅｎａｒｉｏ２のパラメータが設定された場合におけるアンテナ２０の共振周波数が、人体の影響を受けていない状態でＳｃｅｎａｒｉｏ１のパラメータが設定された場合におけるアンテナ２０の共振周波数と同一となるように、Ｓｃｅｎａｒｉｏ２のパラメータ及びそれに対応する静電容量が設定されている。
【００３０】
グリップセンサ２４は、電極１４ａと電極１４ｂの間の静電容量を検出する。グリップセンサ２４は、使用者の手によって携帯端末１が把持されている状態と、使用者の手によって携帯端末１が把持されていない状態との間における、電極１４ａと電極１４ｂの間の静電容量を変化を検出するためのデバイスである。グリップセンサ２４は、検出した静電容量に応じた電圧値をＡ／Ｄ変換した信号を、静電容量を示す静電容量通知信号として生成し、制御部２５に出力する。
【００３１】
制御部２５は、携帯端末１を統括的に制御することで、携帯端末１としての機能を実現する。例えば、制御部２５は、ＲＦＩＣ２３から出力された受信信号が通話における音声を示す場合、その受信信号が示す音声をスピーカー１０を介して出音する。制御部２５は、使用者からマイク１１を介して通話における音声が入力された場合、その音声を示す送信信号を生成し、ＲＦＩＣ２５に出力する。
【００３２】
また、制御部２５は、携帯端末１において発生した事象に応じた画像をタッチパネル１２に表示する。例えば、制御部２５は、使用者からのタッチパネル１２に対する入力に応じた遷移先の画像のタッチパネル１２への表示、メール又は電話の着信に応じた着信を通知する画像のタッチパネル１２への表示等を実施する。さらに、制御部２５は、携帯端末１がスリープ状態のときに、グリップセンサ２４から出力される静電容量通知信号が示す電極１４ａ、１４ｂ間の静電容量に基づいて携帯端末１が使用者によって把持されたと判定できる場合には、携帯端末１をウェイクアップし、タッチパネル１２に画像（例えば待ち受け画面の画像）を表示する。これによって、使用者が携帯端末１のキー１３を操作することなく、携帯端末１を把持するだけでウェイクアップ可能とし、スリープ状態の解除を容易にすることができる。
【００３３】
ここで、本実施の形態１では、制御部２５は、グリップセンサ２４で検出される静電容量に基づいて、使用者による携帯端末１の把持状態を認識し、認識した把持状態に応じてチューナブルデバイス２１の静電容量を補正してアンテナ２０のインピーダンスを最適化することで、アンテナ２０の特性を改善する。これにより、使用者（人体）の影響によるアンテナ２０のインピーダンスのずれることで発生した共振周波数のずれを補正し、共振周波数を所望の周波数とすることを実現する。
【００３４】
すなわち、制御部２５は、グリップセンサ２４から出力された静電容量通知信号が示す静電容量に基づいて、携帯端末１の状態を認識し、認識した状態となるＳｃｅｎａｒｉｏ（Ｓｃｅｎａｒｉｏ１又はＳｃｅｎａｒｉｏ２）を設定するＳｃｅｎａｒｉｏ設定信号をＲＦＩＣ２３に出力する。ＲＦＩＣ２３は、Ｓｃｅｎａｒｉｏ設定信号によって設定されたＳｃｅｎａｒｉｏに対応するパラメータを設定するパラメータ設定信号をチューナブルデバイス２１に出力する。これにより、チューナブルデバイス２１において、パラメータ設定信号によって設定されたパラメータに基づいて、アンテナ２０の静電容量が最適化され、使用者（人体）の影響による共振周波数のずれを補正する。
【００３５】
ここで、制御部２５は、例えば、ベースバンドプロセッサ、アプリケーションプロセッサ、及びメモリ等を含んで構成される。すなわち、制御部２５は、ベースバンドプロセッサ又はアプリケーションプロセッサがメモリに格納されたプログラムを実行することで、本実施の形態における各種処理を実現する。よって、このプログラムは、制御部２５における各種処理をベースバンドプロセッサ及びアプリケーションプロセッサに実行させるためのコードを含んでいる。
【００３６】
続いて、図４Ａ及び図４Ｂを参照して、本実施の形態１に係るグリップセンサ２４による把持検出方法について説明する。図４Ａは、携帯端末１が把持されていない状態における電極１４ａ、１４間の静電容量と閾値との関係を示す図である。図４Ｂは、携帯端末１が把持されている状態における電極１４ａ、１４間の静電容量と閾値との関係を示す図である。
【００３７】
電極１４ａと電極１４ｂの間の静電容量は、使用者の手によって携帯端末１が電極１４ａと電極１４ｂを掴むように把持されていない状態では大きくなり、使用者の手によって携帯端末１が電極１４ａと電極１４ｂを掴むように把持されている状態ではそれよりも小さくなる。そこで、本実施の形態１では、電極１４ａと電極１４ｂの間の静電容量が、予め任意に定めた閾値以下であるか否かによって、使用者の手によって携帯端末１が把持されているか否かを判定する。なお、閾値として、使用者の手によって携帯端末１が把持されていると判定できるだけの静電容量を予め任意に定めるようにしてよい。
【００３８】
すなわち、制御部２５は、図４Ａに示すように、グリップセンサ２４によって検出された電極１４ａ、１４ｂ間の静電容量（図４Ａの「Working Level」）が閾値（図４Ａの「Threhold」）よりも大きい場合には、使用者の手によって携帯端末１が把持されていないと判定する。他方、制御部２５は、図４Ｂに示すように、静電容量（図４Ｂの「Working Level」）が閾値（図４Ｂの「Threhold」）以下である場合には、使用者の手によって携帯端末１が把持されていると判定する。
【００３９】
続いて、図５を参照して、本実施の形態１に係るアンテナ特性改善のメカニズムについて説明する。図５は、本実施の形態１に係るアンテナ特性改善のメカニズムを説明するための図である。
【００４０】
ここでは、共振周波数として期待する周波数が８３０ＭＨｚであるものとして説明する。携帯端末１が使用者に保持されておらず、使用者（人体）の影響を受けない自由空間上に存在する場合、ＲＦＩＣ２３によるチューナブルデバイス２１の制御によってアンテナ２０の共振周波数は、共振周波数として期待する周波数（８３０ＭＨｚ）を維持する。しかしながら、使用者により携帯端末１が把持されて、使用者（人体）の影響を受けている場合、アンテナ２０の静電容量が増加し、アンテナ２０の共振周波数が低周波数方向にシフトしてしまう。
【００４１】
これに対して、本実施の形態１では、制御部２５は、使用者によって携帯端末１が把持されているか否かに応じて、チューナブルデバイス２１に対するパラメータ設定信号の内容を切り替える。具体的には、制御部２５は、使用者によって携帯端末１が把持されていると判定した場合、Ｓｃｅｎａｒｉｏ２を設定するＳｃｅｎａｒｉｏ設定信号を生成し、チューナブルデバイス２１に出力する。ＲＦＩＣ２３は、Ｓｃｅｎａｒｉｏ２を設定するＳｃｅｎａｒｉｏ設定信号の出力に応じて、Ｓｃｅｎａｒｉｏ２に対応するパラメータを示すパラメータ設定信号をチューナブルデバイス２１に出力する。一方、制御部２５は、使用者によって携帯端末１が把持されていないと判定した場合、Ｓｃｅｎａｒｉｏ１を設定するＳｃｅｎａｒｉｏ設定信号を生成し、チューナブルデバイス２１に出力する。ＲＦＩＣ２３は、Ｓｃｅｎａｒｉｏ１を設定するＳｃｅｎａｒｉｏ設定信号の出力に応じて、Ｓｃｅｎａｒｉｏ１に対応するパラメータを示すパラメータ設定信号を生成し、チューナブルデバイス２１に出力する。
【００４２】
ここでのＳｃｅｎａｒｉｏ２のパラメータによってチューナブルデバイス２１で設定される静電容量は、Ｓｃｅｎａｒｉｏ１のパラメータによってチューナブルデバイス２１で設定される静電容量を基準として、使用者による携帯端末１の把持によって低周波数方向にシフトした共振周波数を、再び高周波数方向に補正して元の周波数に戻せるだけの静電容量となるように設計時に任意に定めるようにする。これにより、共振周波数を期待する周波数に補正することを可能とする。
【００４３】
続いて、図６を参照して、本実施の形態１に係る携帯端末１のアンテナ特性改善処理について説明する。図６は、本実施の形態１に係る携帯端末１のアンテナ特性改善処理を示すフローチャートである。
【００４４】
制御部２５は、グリップセンサ２４から出力される静電容量通知信号が示す電極１４ａ、１４ｂ間の静電容量が閾値以下となっているか否かを判定する（Ｓ１）。
【００４５】
電極１４ａ、１４ｂ間の静電容量が閾値以下となっていると判定した場合（Ｓ１：Ｙｅｓ）、制御部２５は、チューナブルデバイス２１の静電容量を補正するように制御する。すなわち、制御部２５は、Ｓｃｅｎａｒｉｏ２を設定するＳｃｅｎａｒｉｏ設定信号をＲＦＩＣ２３に出力する。ＲＦＩＣ２３は、制御部２５からのＳｃｅｎａｒｉｏ設定信号の出力に応じて、Ｓｃｅｎａｒｉｏ２に対応するパラメータを設定するパラメータ設定信号をチューナブルデバイス２１に出力する。チューナブルデバイス２１は、ＲＦＩＣ２３からのパラメータ設定信号の出力に応じて、チューナブルデバイス２１の静電容量を補正した状態とする（Ｓ２）。すなわち、チューナブルデバイス２１は、上述したように、チューナブルデバイス２１の静電容量をＳｃｅｎａｒｉｏ２のパラメータに応じた静電容量とすることで、人体の影響によりずれた共振周波数を所望の周波数となるように補正し、アンテナ２０の特性を改善する。
【００４６】
電極１４ａ、１４ｂ間の静電容量が閾値以下となっていないと判定した場合（Ｓ１：Ｎｏ）、制御部２５は、チューナブルデバイス２１の静電容量を補正しないように制御する（Ｓ３）。すなわち、制御部２５は、Ｓｃｅｎａｒｉｏ１を設定するＳｃｅｎａｒｉｏ設定信号をＲＦＩＣ２３に出力する。ＲＦＩＣ２３は、制御部２５からのＳｃｅｎａｒｉｏ設定信号の出力に応じて、Ｓｃｅｎａｒｉｏ１に対応するパラメータを設定するパラメータ設定信号をチューナブルデバイス２１に出力する。チューナブルデバイス２１は、ＲＦＩＣ２３からのパラメータ設定信号の出力に応じて、チューナブルデバイス２１の静電容量を補正しない状態とする。すなわち、チューナブルデバイス２１の静電容量をＳｃｅｎａｒｉｏ１のパラメータに応じた静電容量とする。これによれば、使用者が携帯端末１の把持を止めて、人体による影響が無くなった場合には、チューナブルデバイス２１の静電容量の補正も止めて、過補正を防止することができる。
【００４７】
ステップＳ２、Ｓ３の実行後は、再びステップＳ１に戻り、同様の処理が繰り替えされる。これにより、携帯端末１が使用者によって把持されたか否かに応じて、チューナブルデバイス２１の静電容量が最適となるように調整し、常に共振周波数が所望の周波数となるように維持することができる。
【００４８】
続いて、図７、図８Ａ、及び図８Ｂを参照して、本発明の実施の形態１の効果について説明する。図７は、本実施の形態１を適用しない場合と、本実施の形態１を適用した場合におけるＴＲＰ（Total Radiated Power）の実測値の違いを示す図である。図８Ａは、本実施の形態１を適用しない場合におけるアンテナのリターンロスの実測値を示す図である。図８Ｂは、本実施の形態１を適用した場合におけるアンテナのリターンロスの実測値を示す図である。図８Ａ及び図８Ｂに示すグラフでは、縦軸はリターンロス（Ｓ１１）を示し、横軸は周波数を示している。
【００４９】
図７に示すように、本実施の形態１を適用しない場合は、人体の影響により、アンテナ特性が劣化し、放射効率が悪化する。それに対して、本実施の形態１を適用した場合は、人体の影響があった場合に、アンテナ特性を改善し、放射効率を向上することができる。すなわち、送信信号の信号品質を向上することができる。また、本実施の形態１では、送信信号及び受信信号のいずれの信号品質に対しても影響を与える人体の影響があるか否かを検出し、その検出結果に応じてアンテナ特性を改善しているため、受信信号の信号品質も同様に向上することができる。
【００５０】
図８Ａ及び図８Ｂは、図７に示すＴＲＰ測定時のアンテナのリターンロスを示している。図８Ａ及び図８Ｂでは、各周波数において、リターンロス（Ｓ１１）が低い程、その周波数におけるアンテナのインピーダンスが良好である。ここで、図８Ａ及び図８ＢのＴＲＰは、８３０ＭＨｚ〜８４０ＭＨｚで計測しているため、この周波数に着目して説明する。すなわち、共振周波数として期待する周波数が８３０ＭＨｚ〜８４０ＭＨｚの周波数帯域における周波数である場合について説明する。
【００５１】
本実施の形態１を適用しない場合は、人体の影響があると、図８Ａに示すように、インピーダンスが良好となる周波数帯域は、共振周波数として期待する周波数帯域８３０ＭＨｚ〜８４０ＭＨｚから低周波数側にずれてしまう。これに対して、本実施の形態１を適用した場合は、人体の影響があったとしても、図８Ｂに示すように、共振周波数のずれを補正し、インピーダンスが良好となる周波数帯域を、共振周波数として期待する周波数帯域８３０ＭＨｚ〜８４０ＭＨｚに合わせることができる。
【００５２】
なお、チューナブルデバイス２１の静電容量を補正した状態（Ｓ２）に移行するか否かを判定する閾値と、チューナブルデバイス２１の静電容量を補正しない状態（Ｓ３）に移行するか否かを判定する閾値は、同一に限られず、異なる値としてよい。例えば、チューナブルデバイス２１の静電容量を補正しない状態において、ステップＳ１で判定する閾値を、第１の静電容量を示す第１の閾値とし、チューナブルデバイス２１の静電容量を補正した状態においてステップＳ１で判定する閾値を、第１の静電容量よりも大きい第２の静電容量を示す第２の閾値としてもよい。そのようにすることで、使用者が携帯端末１を握り直すこと等により、グリップセンサ２４によって瞬間的に大きめの静電容量が検出されてしまったとしても、チューナブルデバイス２１の静電容量を補正しない状態に移行することを防止することができる。すなわち、使用者が携帯端末１を把持し続けているのに、把持されなくなったと誤判定して静電容量を補正する状態と補正しない状態との間で移行が頻発し、アンテナ特性を安定的に改善することができなくなってしまう事態を防止することができる。
【００５３】
以上に説明したように、本実施の形態１は、グリップセンサ２４から出力された静電容量通知信号（センサ値）が示す電極１４ａ（第１の電極又は第２の電極）と電極１４ｂ（第２の電極又は第１の電極）の間の静電容量が所定の第１の閾値以下であると判定した場合、アンテナ２０の共振周波数を補正した状態とし、静電容量通知信号が示す電極１４ａと電極１４ｂの間の静電容量が所定の第２の閾値以下となっていないと判定した場合には、アンテナ２０の共振周波数の補正をしない状態とするようにしている。ここで、第１の閾値と第２の閾値は、同一であっても異なっていてもよい。
【００５４】
ここで、グリップセンサ２４は、携帯端末１に対する人体の接触状態として、人体の接触状態に応じて変化する電極１４ａ、１４ｂ間の静電容量を示す静電容量通知信号を出力している。すなわち、本実施の形態１は、アンテナ２０によって送受信される送信信号の信号品質にも受信信号の信号品質にも同様に影響を与える人体の接触状態に基づいて、アンテナ２０の共振周波数を補正し、アンテナ２０のアンテナ特性を改善するようにしている。よって、本実施の形態１によれば、送信信号及び受信信号の信号品質を総合的に最適化にすることができるため、より無線信号の信号品質を向上することができる。
【００５５】
＜発明の実施の形態２＞
続いて、本発明の実施の形態２について説明する。以下、実施の形態２の内容の明確化のため、実施の形態１と同様の内容については適宜省略して説明する。
【００５６】
上述した本実施の形態１では、チューナブルデバイス２１の静電容量を補正するか否かを、携帯端末１が使用者により把持されていると判定される場合と、携帯端末１が使用者により把持されていないと判定される場合とで切り替えるようにしていた。しかしながら、アンテナ２０のインピーダンスの変化は、携帯端末１が使用者に把持されることにより、携帯端末１が人体と接触する場合のみならず、携帯端末１が人体と接触していない場合であっても、携帯端末１に人体が近接している場合にも発生し得る。また、そのアンテナ２０のインピーダンスの変化の大きさは、携帯端末１と人体との距離が近くなるに従って増加する。
【００５７】
そこで、本実施の形態２では、グリップセンサ２４によって検出される電極１４ａ、１４ｂ間の静電容量に基づいて、携帯電話１への使用者（人体）の近接度合いを推定し、推定した近接度合いに応じた適切な補正量でチューナブルデバイス２１を調整する。
【００５８】
本実施の形態２に係る携帯端末１の外部構成及び内部構成は、実施の形態１と同様であるため、説明を省略するが、チューナブルデバイス２１に対する上述の制御を実現するために、ＲＦＩＣ２３に保持されるパラメータ及び制御部２５の動作が一部異なる。よって、ＲＦＩＣ２３で保持されるパラメータの違いを明確にするために、図９として、本実施の形態２に係る携帯端末１の内部構成を示す。
【００５９】
ここで、電極１４ａ、１４ｂ間の静電容量は、携帯端末１と使用者との距離が近くなるに従って減少する。一方、アンテナ２０の静電容量は、携帯端末１と使用者との距離が近くなるに従って増加し、それに伴い共振周波数が低周波数方向にシフトする量も増加する。よって、電極１４ａ、１４ｂ間の静電容量が減少するに従って、アンテナ２０の静電容量を減少させるように制御することで、携帯端末１と使用者との距離が近くなり、共振周波数の低周波数方向へのずれが増加するに従って、共振周波数を高周波数方向に補正する補正量も増加させることができ、共振周波数をより所望の周波数に補正することが可能となる。
【００６０】
そこで、制御部２５は、グリップセンサ２４から出力された静電容量通知信号が示す静電容量が減少するに従って補正量（共振周波数を高周波数方向に補正する量、チューナブルデバイス２１の静電容量を減少する量）が大きくなるように制御する。言い換えると、制御部２５は、グリップセンサ２４から出力された静電容量通知信号が示す静電容量が増加するに従って補正量が小さくなるように、チューナブルデバイス２１に対する補正量を制御する。
【００６１】
具体的には、本実施の形態２では、携帯端末１に対する人体の接触又は近接がグリップセンサ２４によって検出されている状態として、１つのＳｃｅｎａｒｉｏ２のみでなく、複数のＳｃｅｎａｒｉｏ２〜ＳｃｅｎａｒｉｏＮを管理している。ここで、Ｎは、３以上の正整数となる。すなわち、ＲＦＩＣ２３は、携帯端末１に対する人体の接触又は近接がグリップセンサ２４によって検出されている状態に対応するパラメータとして、Ｓｃｅｎａｒｉｏ２〜ＳｃｅｎａｒｉｏＮのそれぞれに対応するパラメータを保持している。ここで、各パラメータによって設定されるチューナブルデバイス２１の静電容量は、Ｓｃｅｎａｒｉｏ２のパラメータからＳｃｅｎａｒｉｏＮのパラメータの順に減少していくものとする。なお、当然に、Ｓｃｅｎａｒｉｏ１のパラメータは、Ｓｃｅｎａｒｉｏ２のパラメータよりも大きい静電容量を設定するパラメータとなる。
【００６２】
制御部２５は、グリップセンサ２４から出力された静電容量通知信号が示す電極１４ａ、１４ｂ間の静電容量が減少するに従って、Ｓｃｅｎａｒｉｏ１よりもＳｃｅｎａｒｉｏＮに近いＳｃｅｎａｒｉｏとなるように、Ｓｃｅｎａｒｉｏ１〜ＳｃｅｎａｒｉｏＮの中から、ＲＦＩＣ２３に対して設定するＳｃｅｎａｒｉｏを決定する。なお、電極１４ａ、１４ｂ間の静電容量がとり得る静電容量のそれぞれから、Ｓｃｅｎａｒｉｏ１〜ＳｃｅｎａｒｉｏＮのうちのいずれのＳｃｅｎａｒｉｏが決定されるかは、予め任意に対応付けておけばよい。そして、制御部２５は、決定したＳｃｅｎａｒｉｏを設定するＳｃｅｎａｒｉｏ設定信号をＲＦＩＣ２３に出力する。ＲＦＩＣ２３は、Ｓｃｅｎａｒｉｏ設定信号によって設定されたＳｃｅｎａｒｉｏに対応するパラメータを設定するパラメータ設定信号をチューナブルデバイス２１に出力する。チューナブルデバイス２１は、ＲＦＩＣ２３から出力されたパラメータ設定信号によって設定されたパラメータに対応する静電容量となるように、チューナブルデバイス２１の静電容量を変更する。
【００６３】
このような動作によれば、携帯端末１と使用者との距離が近くなるに従って、チューナブルデバイス２１の静電容量を減少させる量（補正量）を増加させて、アンテナ２０の共振周波数を高周波数方向に戻す量を増加させることができる。よって、携帯端末１と使用者との距離が近くなるに従って低周波数方向にシフトする量が増加する共振周波数のずれを適切に補正することが可能となる。
【００６４】
続いて、図１０を参照して、本実施の形態２に係る携帯端末１のアンテナ特性改善処理について説明する。図１０は、本実施の形態２に係る携帯端末１のアンテナ特性改善処理を示すフローチャートである。
【００６５】
制御部２５は、チューナブルデバイス２１の静電容量の補正量が、グリップセンサ２４から出力される静電容量通知信号が示す電極１４ａ、１４ｂ間の静電容量の大きさに応じた補正量となるように、チューナブルデバイス２１に対して設定するパラメータを制御する（Ｓ１１）。すなわち、制御部２５は、電極１４ａ、１４ｂ間の静電容量が大きくなるに従って、Ｓｃｅｎａｒｉｏ１よりもＳｃｅｎａｒｉｏＮに近いＳｃｅｎａｒｉｏとなるように、ＲＦＩＣ２３に対して設定するＳｃｅｎａｒｉｏを決定する。制御部２５は、決定したＳｃｅｎａｒｉｏを設定するＳｃｅｎａｒｉｏ設定信号をＲＦＩＣ２３に出力する。これにより、ＲＦＩＣ２３は、制御部２５から出力されたＳｃｅｎａｒｉｏ設定信号によって設定されたＳｃｅｎａｒｉｏに対応するパラメータを、チューナブルデバイス２１に対して設定するパラメータとして決定する。ＲＦＩＣ２３は、決定したパラメータを設定するパラメータ設定信号をチューナブルデバイス２１に出力する。上述したように、このパラメータとして、電極１４ａ、１４ｂ間の静電容量が減少するに従って、チューナブルデバイス２１の静電容量を、より小さくするパラメータが選択されることになる。
【００６６】
チューナブルデバイス２１は、制御部２５によって制御されたパラメータでチューナブルデバイス２１の静電容量を補正する（Ｓ１２）。すなわち、チューナブルデバイス２１は、上述したように、チューナブルデバイス２１の静電容量を、パラメータ設定信号によって設定されたパラメータに対応する静電容量とすることで、人体の影響によりずれた共振周波数を、人体の影響の度合いに応じた補正量で所望の周波数となるように補正し、アンテナ２０の特性を改善する。
【００６７】
なお、グリップセンサ２４によって検出される電極１４ａ、１４ｂ間の静電容量が、携帯端末１が自由空間中にあり、人体の影響を受けていない状態における値である場合には、制御部２５は、チューナブルデバイス２１の静電容量の補正量を０となるように制御する。すなわち、制御部２５は、ＲＦＩＣ２３に対して設定するＳｃｅｎａｒｉｏとして、Ｓｃｅｎａｒｉｏ１を決定する。ＲＦＩＣ２３は、制御部２５によって設定されたＳｃｅｎａｒｉｏ１に対応するパラメータをチューナブルデバイス２１に設定する。チューナブルデバイス２１は、チューナブルデバイス２１の静電容量をＳｃｅｎａｒｉｏ１のパラメータに応じた静電容量とする。これにより、使用者が携帯端末１から遠ざかり、人体による影響が無くなった場合には、チューナブルデバイス２１の静電容量を補正しない状態に戻される。よって、人体による影響が無くなった場合には、チューナブルデバイス２１の静電容量の補正も止めて、過補正を防止することができる。
【００６８】
ステップＳ１２の実行後は、再びステップＳ１１に戻り、同様の処理が繰り替えされる。これにより、携帯端末１に対する使用者の近接度合いに応じて、チューナブルデバイス２１の静電容量が最適となるように補正され、常に共振周波数が所望の周波数となるように維持することができる。すなわち、図７、図８Ａ、及び図８Ｂに示すように、もしくは、それよりも更に良好な状態となるように、アンテナ特性を改善することができる。
【００６９】
以上に説明したように、本実施の形態２は、グリップセンサ２４から出力された静電容量通知信号（センサ値）が示す電極１４ａ、１４ｂ（第１の電極、第２の電極）の間の静電容量の変化が大きくなるに従って、アンテナ２０の共振周波数の補正量が大きくなるように、アンテナ２０の共振周波数を補正するようにしている。ここで、電極１４ａ、１４ｂの間の静電容量の変化とは、人体の影響が無い場合における電極１４ａ、１４ｂの間の静電容量を基準とした変化となる。
【００７０】
よって、本実施の形態２によれば、人物の近接状態に応じた補正量で、アンテナ２０の共振周波数をより適切に補正することができるので、より無線信号の信号品質を向上することができる。
【００７１】
＜発明の実施の形態３＞
続いて、本発明の実施の形態３について説明する。以下、実施の形態３の内容の明確化のため、実施の形態１と同様の内容については適宜省略して説明する。
【００７２】
まず、図１１及び図１２を参照して、本実施の形態３に係る携帯端末２の構成について説明する。図１１は、本実施の形態３に係る携帯端末２の外部構成を示す構成図である。図１２は、本実施の形態３に係る携帯端末２の内部構成を示す構成図である。
【００７３】
携帯端末２は、実施の形態１に係る携帯端末１と比較して、電極１４ａ、１４ｂに代えて電極１４ｃ〜１４ｆを有し、グリップセンサ２４に代えてグリップセンサ２６、２７を有する。
【００７４】
電極１４ｃ、１４ｄは、携帯端末２の左端に配設されており、電極１４ｅ、１４ｆは、携帯端末２の右端に配設されている。ここで、携帯端末２をタッチパネル１２等が配設されている面から見た場合において、携帯端末２の長手方向（図１１の上下方向）を上下方向とし、携帯端末２の短手方向（図１１の左右方向）を左右方向として説明する。
【００７５】
ここで、本実施の形態３では、電極１４ｃ、１４ｄが、その間の静電容量が検出される組となっており。電極１４ｅ、１４ｆが、その間の静電容量が検出される組となっている。
【００７６】
電極１４ｃと電極１４ｅは、携帯端末２の左右方向において互いにその少なくとも一部が重複する位置に配設されている。電極１４ｄ、１４ｆは、携帯端末２の左右方向において互いにその少なくとも一部が重複する位置に配設されている。電極１４ｃは、電極１４ｄの上方に位置するように配設されている。電極１４ｅは、電極１４ｆの上方に位置するように配設されている。なお、電極１４ｃ〜１４ｆの大きさは、任意の大きさとしてよい。
【００７７】
このような構成により、例えば、使用者がタッチパネル１２が使用者に対向するように携帯端末２の裏面（タッチパネル１２の無い面）から携帯端末２を左手で把持した場合には、電極１４ｃに使用者の親指が接触し、電極１４ｅ、１４ｆのそれぞれに使用者の人差し指乃至小指の少なくとも１つが接触し、電極１４ｄには使用者のいずれの指も接触しないようになる。また、例えば、使用者がタッチパネル１２が使用者に対向するように携帯端末２の裏面から携帯端末２を右手で把持した場合には、電極１４ｅに使用者の親指が接触し、電極１４ｃ、１４ｄのそれぞれに使用者の人差し指乃至小指の少なくとも１つが接触し、電極１４ｆには使用者のいずれの指も接触しないようになる。
【００７８】
グリップセンサ２６は、電極１４ｃ、１４ｄ間の静電容量を検出し、検出した静電容量に応じた電圧値をＡ／Ｄ変換した信号を、静電容量を示す静電容量通知信号として生成し、制御部２５に出力する。
【００７９】
グリップセンサ２７は、電極１４ｅ、１４ｆ間の静電容量を検出し、検出した静電容量に応じた電圧値をＡ／Ｄ変換した信号を、静電容量を示す静電容量通知信号として生成し、制御部２５に出力する。
【００８０】
ここで、本実施の形態３では、図１１に示すように、アンテナ２０（給電点）が携帯端末２の内部において、携帯端末２の右下（電極１４ｃ〜１４ｆのうち、電極１４ｆに最も近い位置）に配設されているものとする。
【００８１】
この場合において、使用者がタッチパネル１２が使用者に対向するように携帯端末２の裏面から携帯端末２を把持する状況について説明する。使用者が左手で携帯端末２を把持した場合は、図１３Ａに示すように、携帯端末２に近接した小指でアンテナ２０が覆われてしまうため、人体の影響が大きくなりアンテナ特性の劣化が大きくなってしまう。一方、使用者が右手で携帯端末２を把持した場合は、図１３Ｂに示すように、親指がアンテナ２０よりも携帯端末２の上方に離れた位置となり、また手の甲もアンテナ２０から奥行き方向に離れ、アンテナ２０が近接した指等で覆われてしまうことがないため、左手で把持する場合ほど、アンテナ特性を劣化を大きくすることはない。なお、使用者が携帯端末２の表面（タッチパネル１２のある面）から携帯端末２を把持する状況では、右手と左手の関係が逆となる。
【００８２】
これに対して、本実施の形態３では、上述したように電極１４ｃ〜１４ｆへの使用者の手の接触状態に基づいて、アンテナ２０に対する影響の大きい把持の仕方をしているか否かを判定し、把持の仕方に応じてチューナブルデバイス２１の静電容量を補正する。
【００８３】
続いて、図１４Ａ〜図１４Ｃを参照して、本実施の形態３に係るグリップセンサ２６、２７による把持検出方法について説明する。図１４Ａは、携帯端末２が把持されていない状態における静電容量と閾値との関係を示す図である。図１４Ｂは、携帯端末２が把持されている状態（アンテナ２０への人体の影響が比較的大きい）における静電容量と閾値との関係を示す図である。図１４Ｃは、携帯端末２が把持されている状態（アンテナ２０への人体の影響が比較的小さい）における静電容量と閾値との関係を示す図である。
【００８４】
電極１４ｃと電極１４ｄの間の静電容量は、図１３Ａに示すように、携帯端末２が使用者の手によって電極１４ｃと電極１４ｄに触れるように把持されていない状態では大きくなり、図１３Ｂに示すように、携帯端末２が使用者の手によって電極１４ｃと電極１４ｄを触れるように把持されている状態では小さくなる。また、電極１４ｅと電極１４ｆの間の静電容量は、図１３Ｂに示すように、携帯端末２が使用者の手によって電極１４ｅと電極１４ｆに触れるように把持されていない状態では大きくなり、図１３Ａに示すように、携帯端末２が使用者の手によって電極１４ｅと電極１４ｆを触れるように把持されている状態では小さくなる。そこで、本実施の形態３では、電極１４ｃと電極１４ｄの間の静電容量及び電極１４ｅと電極１４ｆの間の静電容量のいずれが、予め任意に定めた閾値以下か否かによって、使用者による携帯端末２の把持状態を判定する。なお、閾値は、使用者の手によって電極間が把持されていると判定できるだけの静電容量を予め任意に定めるようにしてよい。
【００８５】
すなわち、制御部２５は、図１４Ａに示すように、電極１４ｃ、１４ｄ間の静電容量（図１４Ａの「Working Level 1」）と、電極１４ｅ、１４ｆ間の静電容量（図１４Ａの「Working Level 2」）が閾値（図１４Ａの「Threhold」）よりも大きい場合には、使用者によって携帯端末２が把持されていないと判定する。
【００８６】
また、制御部２５は、図１４Ｂに示すように、電極１４ｃ、１４ｄ間の静電容量が閾値よりも大きく、かつ電極１４ｅ、１４ｆ間の静電容量が閾値以下である場合には、アンテナ２０への人体の影響が比較的大きい持ち方で、使用者によって携帯端末２が把持されていると判定する。例えば、図１３Ａに示すように、アンテナ２０に指が比較的近接している持ち方の場合、アンテナ２０と反対側の電極１４ｃ、１４ｄ間の静電容量よりも、アンテナ２０側の電極１４ｅ、１４ｆ間の静電容量が大きく変化するからである。
【００８７】
また、制御部２５は、図１４Ｃに示すように、電極１４ｃ、１４ｄ間の静電容量が閾値以下であり、かつ電極１４ｅ、１４ｆ間の静電容量が閾値よりも大きい場合には、アンテナ２０への人体の影響が比較的小さい持ち方（図１４Ｂに示す場合と比較して小さい持ち方）で、使用者によって携帯端末２が把持されていると判定する。例えば、図１３Ｂに示すように、アンテナ２０に指が比較的近接していない持ち方の場合、アンテナ２０側の電極１４ｅ、１４ｆ間の静電容量よりも、アンテナ２０と反対側の電極１４ｃ、１４ｄ間の静電容量が大きく変化するからである。
【００８８】
そして、制御部２５は、図１４Ｂに示すように、アンテナ２０への人体の影響が比較的大きい持ち方で、使用者によって携帯端末２が把持されていると判定した場合、チューナブルデバイス２１の静電容量の補正量（チューナブルデバイス２１の静電容量を減少する量）が第１の補正量となるように制御する。一方、図１４Ａに示すように、アンテナ２０への人体の影響が比較的小さい持ち方で、使用者によって携帯端末２が把持されていると判定した場合、チューナブルデバイス２１の静電容量の補正量が、第１の補正量よりも小さい第２の補正量となるように制御する。
【００８９】
具体的には、本実施の形態３では、携帯端末２に対する人体の接触がグリップセンサ２４によって検出されている状態として、Ｓｃｅｎａｒｉｏ２のみでなく、Ｓｃｅｎａｒｉｏ２及びＳｃｅｎａｒｉｏ３を管理している。すなわち、ＲＦＩＣ２３は、携帯端末２に対する人体の接触又は近接がグリップセンサ２４によって検出されている状態に対応するパラメータとして、Ｓｃｅｎａｒｉｏ２及びＳｃｅｎａｒｉｏ３のそれぞれに対応するパラメータを保持している。ここで、各パラメータによって設定されるチューナブルデバイス２１の静電容量は、Ｓｃｅｎａｒｉｏ２のパラメータよりも、Ｓｃｅｎａｒｉｏ３のパラメータのほうが減少するものとする。すなわち、Ｓｃｅｎａｒｉｏ３は、図１３Ａに示すように、アンテナ２０への人体の影響が比較的大きい把持状態に対応し、Ｓｃｅｎａｒｉｏ２は、図１３Ｂに示すように、アンテナ２０への人体の影響が比較的小さい把持状態に対応する。なお、当然に、Ｓｃｅｎａｒｉｏ１のパラメータは、Ｓｃｅｎａｒｉｏ２のパラメータよりも大きい静電容量を設定するパラメータとなる。
【００９０】
よって、上記の第１の補正量は、Ｓｃｅｎａｒｉｏ１のパラメータで設定される静電容量から、Ｓｃｅｎａｒｉｏ３のパラメータで設定される静電容量までの変化に対応し、上記の第２の補正量は、Ｓｃｅｎａｒｉｏ１のパラメータで設定される静電容量から、Ｓｃｅｎａｒｉｏ２のパラメータで設定される静電容量までの変化に対応する。
【００９１】
制御部２５は、図１４Ａに示すように、電極１４ｃ、１４ｄ間の静電容量と、電極１４ｅ、１４ｆ間の静電容量の両方が、閾値よりも大きい場合には、ＲＦＩＣ２３に対して設定するＳｃｅｎａｒｉｏとして、Ｓｃｅｎａｒｉｏ１を決定する。また、制御部２５は、図１４Ｂに示すように、電極１４ｃ、１４ｄ間の静電容量が閾値よりも大きく、かつ電極１４ｅ、１４ｆ間の静電容量が閾値以下である場合には、ＲＦＩＣ２３に対して設定するＳｃｅｎａｒｉｏとして、Ｓｃｅｎａｒｉｏ３を決定する。また、制御部２５は、図１４Ｃに示すように、図１４Ｃに示すように、電極１４ｃ、１４ｄ間の静電容量が閾値以下であり、かつ電極１４ｅ、１４ｆ間の静電容量が閾値よりも大きい場合には、ＲＦＩＣ２３に対して設定するＳｃｅｎａｒｉｏとして、Ｓｃｅｎａｒｉｏ２を決定する。そして、制御部２５は、決定したＳｃｅｎａｒｉｏを設定するＳｃｅｎａｒｉｏ設定信号をＲＦＩＣ２３に出力する。ＲＦＩＣ２３は、Ｓｃｅｎａｒｉｏ設定信号によって設定されたＳｃｅｎａｒｉｏに対応するパラメータを示すパラメータ設定信号をチューナブルデバイス２１に出力する。チューナブルデバイス２１は、ＲＦＩＣ２３から出力されたパラメータ設定信号によって設定されたパラメータに対応する静電容量となるように、チューナブルデバイス２１の静電容量を変更する。
【００９２】
このような動作によれば、使用者の携帯端末２の把持の仕方による人体の影響の違いに応じて、チューナブルデバイス２１の静電容量を減少させる量を適切な量に切り替えて、アンテナ２０の共振周波数を高周波数方向に戻す量を最適にすることができる。よって、使用者の携帯端末２の把持の仕方によって変化する共振周波数のずれ量に適した補正をすることが可能となる。
【００９３】
続いて、図１５を参照して、本実施の形態３に係る携帯端末２のアンテナ特性改善処理について説明する。図１５は、本実施の形態３に係る携帯端末２のアンテナ特性改善処理を示すフローチャートである。
【００９４】
制御部２５は、グリップセンサ２７から出力される静電容量通知信号が示す電極１４ｅ、１４ｆ間の静電容量が閾値以下となっているか否かを判定する（Ｓ２１）。
【００９５】
電極１４ｅ、１４ｆ間の静電容量が閾値以下となっていると判定した場合（Ｓ２１：Ｙｅｓ）、制御部２５は、チューナブルデバイス２１の静電容量の補正量が第１の補正量となるように制御する。すなわち、制御部２５は、ＲＦＩＣ２３に対して設定するＳｃｅｎａｒｉｏとして、Ｓｃｅｎａｒｉｏ３を決定する。制御部２５は、決定したＳｃｅｎａｒｉｏ３を設定するＳｃｅｎａｒｉｏ設定信号をＲＦＩＣ２３に出力する。ＲＦＩＣ２３は、制御部２５からのＳｃｅｎａｒｉｏ設定信号の出力に応じて、Ｓｃｅｎａｒｉｏ３に対応するパラメータを設定するパラメータ設定信号をチューナブルデバイス２１に出力する。チューナブルデバイス２１は、ＲＦＩＣ２３からのパラメータ設定信号の出力に応じて、第１の補正量で、チューナブルデバイス２１の静電容量を補正した状態とする（Ｓ２２）。すなわち、チューナブルデバイス２１は、チューナブルデバイス２１の静電容量を、Ｓｃｅｎａｒｉｏ３のパラメータに応じた静電容量とする。
【００９６】
電極１４ｅ、１４ｆ間の静電容量値が閾値以下となっていないと判定した場合（Ｓ２１：Ｎｏ）、制御部２５は、グリップセンサ２６から出力される静電容量通知信号が示す電極１４ｃ、１４ｄ間の静電容量が閾値以下となっているか否かを判定する（Ｓ２３）。
【００９７】
電極１４ｃ、１４ｄ間の静電容量が閾値以下となっていると判定した場合（Ｓ２３：Ｙｅｓ）、制御部２５は、チューナブルデバイス２１の静電容量が第２の補正量となるように制御する。すなわち、制御部２５は、決定したＳｃｅｎａｒｉｏ２を設定するＳｃｅｎａｒｉｏ設定信号をＲＦＩＣ２３に出力する。ＲＦＩＣ２３は、制御部２５からのＳｃｅｎａｒｉｏ設定信号の出力に応じて、Ｓｃｅｎａｒｉｏ２に対応するパラメータを設定するパラメータ設定信号をチューナブルデバイス２１に出力する。チューナブルデバイス２１は、ＲＦＩＣ２３からのパラメータ設定信号の出力に応じて、第２の補正量で、チューナブルデバイス２１の静電容量を補正した状態とする（Ｓ２４）。すなわち、チューナブルデバイス２１は、チューナブルデバイス２１の静電容量を、Ｓｃｅｎａｒｉｏ２のパラメータに応じた静電容量とする。ここで、第２の補正量は、第１の補正量よりも小さい。
【００９８】
電極１４ｃ、１４ｄ間の静電容量が閾値以下となっていないと判定した場合（Ｓ２３：Ｎｏ）、電極１４ｃ、１４ｄ間の静電容量と電極１４ｅ、１４ｆ間の静電容量は、いずれも閾値以下となっていないことになる。この場合、制御部２５は、チューナブルデバイス２１の静電容量の補正量が０となるように制御する（Ｓ２５）。すなわち、制御部２５は、Ｓｃｅｎａｒｉｏ１を設定するＳｃｅｎａｒｉｏ設定信号をＲＦＩＣ２３に出力する。ＲＦＩＣ２３は、制御部２５からのＳｃｅｎａｒｉｏ設定信号の出力に応じて、Ｓｃｅｎａｒｉｏ１に対応するパラメータを設定するパラメータ設定信号をチューナブルデバイス２１に出力する。チューナブルデバイス２１は、ＲＦＩＣ２３からのパラメータ設定信号の出力に応じて、チューナブルデバイス２１の静電容量を補正しない状態とする。すなわち、チューナブルデバイス２１の静電容量をＳｃｅｎａｒｉｏ１のパラメータに応じた静電容量とする。これによれば、使用者が携帯端末１の把持を止めて、人体による影響が無くなった場合には、チューナブルデバイス２１の静電容量の補正も止めて、過補正を防止することができる。
【００９９】
ステップＳ２２、Ｓ２４、Ｓ２５の実行後は、再びステップＳ２１に戻り、同様の処理が繰り替えされる。これにより、携帯端末２が使用者によって把持されたか否か及び把持の仕方に応じて、チューナブルデバイス２１の静電容量が最適となるように調整し、常に共振周波数が所望の周波数となるように維持することができる。
【０１００】
なお、ステップＳ２１で判定に利用する閾値と、ステップＳ２３で判定に利用する閾値は、同一に限られず、異なっていてもよい。
【０１０１】
また、チューナブルデバイス２１の静電容量を補正した状態（Ｓ２２、又はＳ２４）に移行するか否かを判定する閾値と、チューナブルデバイス２１の静電容量を補正しない状態（Ｓ２５）に移行するか否かを判定する閾値は、同一に限られず、異なる値としてよい。例えば、チューナブルデバイス２１の静電容量を補正しない状態において、ステップＳ２１で判定する閾値を、第１の静電容量を示す第１の閾値とし、チューナブルデバイス２１の静電容量を第１の補正量で補正した状態においてステップＳ２１で判定する閾値を、第１の静電容量よりも大きい第２の静電容量を示す第２の閾値としてもよい。また、例えば、チューナブルデバイス２１の静電容量を補正しない状態において、ステップＳ２３で判定する閾値を、第３の静電容量を示す第３の閾値とし、チューナブルデバイス２１の静電容量を第２の補正量で補正した状態においてステップＳ２３で判定する閾値を、第３の静電容量よりも大きい第４の静電容量を示す第４の閾値としてもよい。そのようにすることで、使用者が携帯端末２を握り直すこと等により、グリップセンサ２６、２７によって瞬間的に大きめの静電容量が検出されてしまったとしても、チューナブルデバイス２１の静電容量を補正しない状態に移行することを防止することができる。すなわち、使用者が携帯端末２を把持し続けているのに、把持されなくなったと誤判定して静電容量を補正する状態と補正しない状態との間で移行が頻発し、アンテナ特性を安定的に改善することができなくなってしまう事態を防止することができる。
【０１０２】
以上に説明したように、本実施の形態３は、グリップセンサ２６、２７から出力された静電容量通知信号（センサ値）のそれぞれが示す電極１４ｃ、１４ｄ（第１の電極、第２の電極）間の静電容量（第１の静電容量）及び電極１４ｅ、１４ｆ（第３の電極、第４の電極）間の静電容量（第２の静電容量）に基づいて、次のように処理をしている。本実施の形態３は、第２の静電容量が所定の閾値以下であると判定した場合、第１の補正量でアンテナ２０の共振周波数を補正し、第１の静電容量が所定の閾値以下であると判定した場合、上記第１の補正量よりも小さい第２の補正量でアンテナの共振周波数を補正するようにしている。
【０１０３】
ここで、アンテナ２０は、電極１４ｃ、１４ｄよりも電極１４ｅ、１４ｆに近い位置に配置されている。すなわち、本実施の形態３は、アンテナ２０に対する影響が大きい人体の接触状態の場合は大きい第１の補正量で補正し、それよりもアンテナ２０に対する影響が小さい人体の接触状態の場合は小さい第２の補正量で補正するようにしている。よって、本実施の形態３によれば、人物の接触状態に応じた補正量で、アンテナ２０の共振周波数をより適切に補正することができるので、より無線信号の信号品質を向上することができる。
【０１０４】
＜発明の実施の形態４＞
続いて、本発明の実施の形態４について説明する。以下、実施の形態４の内容の明確化のため、実施の形態１と同様の内容については適宜省略して説明する。
【０１０５】
まず、図１６及び図１７を参照して、本実施の形態４に係る携帯端末３の構成について説明する。図１６は、本実施の形態４に係る携帯端末３の外部構成を示す構成図である。図１７は、本実施の形態４に係る携帯端末３の内部構成を示す構成図である。
【０１０６】
携帯端末３は、実施の形態１に係る携帯端末１と比較して、さらに近接センサ１５を有する。また、本実施の形態４では、携帯端末３は、図１６及び図１７に示すように、電極１４ａ、１４ｂは有さないようにしてもよい。
【０１０７】
近接センサ１５は、使用者による携帯端末３への近接度合いを検出するために設けられている。近接センサ１５は、使用者との距離を検出し、検出した距離に応じた電圧値をＡ／Ｄ変換した信号を、使用者との距離を示す距離通知信号として生成し、制御部２５に出力する。
【０１０８】
近接センサ１５は、携帯端末３において、スピーカー１０、マイク１１、タッチパネル１２、及びキー１３と同一面に配設されている。このような構成により、例えば、使用者が通話のために顔を携帯端末３のスピーカー１０及びマイク１１に近接させた場合には、近接センサ１５によって使用者との距離が検出されることになる。
【０１０９】
上述したように、アンテナ２０のインピーダンスの変化は、使用者によって携帯端末３が把持されることにより、携帯端末３が使用者（人体）と接触する場合のみならず、携帯端末３が人体と接触していない場合であっても、携帯端末３に人体が近接している場合にも発生し得る。
【０１１０】
そこで、本実施の形態４では、近接センサ１５で検出される使用者との距離に基づいて、使用者の携帯端末３に対する近接状態を認識し、認識した近接状態に応じて、チューナブルデバイス２１の静電容量を補正してアンテナ２０のインピーダンスを最適化することで、アンテナ２０のアンテナ特性を改善する。これにより、使用者（人体）の影響による共振周波数のずれを補正し、共振周波数を所望の周波数とすることを実現する。
【０１１１】
具体的には、本実施の形態４では、携帯端末３に対する人体の近接が近接センサ１５によって検出されておらず、携帯端末３が自由空間上にある状態をＳｃｅｎａｒｉｏ１とし、携帯端末３に対する人体の近接が近接センサ１５によって検出されている状態をＳｃｅｎａｒｉｏ２として管理するようにしている。すなわち、Ｓｃｅｎａｒｉｏ２のパラメータによって設定される静電容量は、Ｓｃｅｎａｒｉｏ１のパラメータによって設定される静電容量を基準として、使用者の携帯端末３に対する近接によって低周波数方向にシフトした共振周波数を、再び高周波数方向に補正して元の周波数に戻せるだけの静電容量となるように設計時に任意に定めるようにする。
【０１１２】
続いて、図１８を参照して、本実施の形態４に係る携帯端末３のアンテナ特性改善処理について説明する。図１８は、本実施の形態４に係る携帯端末３のアンテナ特性改善処理を示すフローチャートである。
【０１１３】
制御部２５は、近接センサ１５から出力される距離通知信号が示す携帯端末３と使用者との距離が閾値以下となっているか否かを判定する（Ｓ３１）。
【０１１４】
近接センサ１５から出力される距離通知信号が示す距離が閾値以下となっていると判定した場合（Ｓ３１：Ｙｅｓ）、制御部２５は、チューナブルデバイス２１の静電容量を補正するように制御する。すなわち、制御部２５は、Ｓｃｅｎａｒｉｏ２を設定するＳｃｅｎａｒｉｏ設定信号をＲＦＩＣ２３に出力する。ＲＦＩＣ２３は、制御部２５からのＳｃｅｎａｒｉｏ設定信号の出力に応じて、Ｓｃｅｎａｒｉｏ２に対応するパラメータを設定するパラメータ設定信号をチューナブルデバイス２１に出力する。チューナブルデバイス２１は、ＲＦＩＣ２３からのパラメータ設定信号の出力に応じて、チューナブルデバイス２１の静電容量を補正した状態とする（Ｓ３２）。すなわち、チューナブルデバイス２１は、上述したように、チューナブルデバイス２１の静電容量をＳｃｅｎａｒｉｏ２のパラメータに応じた静電容量とすることで、人体の影響によりずれた共振周波数を所望の周波数となるように補正し、アンテナ２０の特性を改善する。
【０１１５】
近接センサ１５から出力される容量通知信号が示す距離が閾値以下となっていないと判定した場合（Ｓ３１：Ｎｏ）、制御部２５は、チューナブルデバイス２１の静電容量を補正しないように制御する（Ｓ３３）。すなわち、制御部２５は、Ｓｃｅｎａｒｉｏ１を設定するＳｃｅｎａｒｉｏ設定信号をＲＦＩＣ２３に出力する。ＲＦＩＣ２３は、制御部２５からのＳｃｅｎａｒｉｏ設定信号の出力に応じて、Ｓｃｅｎａｒｉｏ１に対応するパラメータを設定するパラメータ設定信号をチューナブルデバイス２１に出力する。チューナブルデバイス２１は、ＲＦＩＣ２３からのパラメータ設定信号の出力に応じて、チューナブルデバイス２１の静電容量を補正しない状態とする。すなわち、チューナブルデバイス２１の静電容量をＳｃｅｎａｒｉｏ１のパラメータに応じた静電容量とする。これによれば、使用者が携帯端末１から離れて、人体による影響が無くなった場合には、チューナブルデバイス２１の静電容量の補正も止めて、過補正を防止することができる。
【０１１６】
ステップＳ３２、Ｓ３３の実行後は、再びステップＳ３１に戻り、同様の処理が繰り替えされる。これにより、携帯端末３に使用者が近接しているか否かに応じて、チューナブルデバイス２１の静電容量が最適となるように調整し、常に共振周波数が所望の周波数となるように維持することができる。
【０１１７】
なお、チューナブルデバイス２１の静電容量を補正した状態に移行する（Ｓ３２）か否かを判定する閾値と、チューナブルデバイス２１の静電容量を補正しない状態に移行する（Ｓ３３）か否かを判定する閾値は、同一に限られず、異なる値としてよい。例えば、チューナブルデバイス２１の静電容量を補正しない状態において、ステップＳ３１で判定する閾値を、第１の距離を示す第１の閾値とし、チューナブルデバイス２１の静電容量を補正した状態においてステップＳ３１で判定する閾値を、第１の距離よりも大きい第２の距離を示す第２の閾値としてもよい。そのようにすることで、移動中の通話のように使用者と携帯端末３との距離が一定とならず、近接センサ１５によって瞬間的に大きめの距離が検出されてしまったとしても、チューナブルデバイス２１の静電容量を補正しない状態に移行すること防止することができる。すなわち、使用者が携帯端末３を近接させ続けようとしているのに、近接されなくなったと誤判定して静電容量を補正する状態と補正しない状態との間で移行が頻発し、アンテナ特性を安定的に改善することができなくなってしまう事態を防止することができる。
【０１１８】
以上に説明したように、本実施の形態４は、近接センサ１５から出力された距離通知信号（センサ値）が示す距離が所定の閾値以下であると判定した場合、アンテナ２０の共振周波数を補正した状態とし、距離通知信号が示す距離が所定の閾値以下でないと判定した場合、アンテナ２０の共振周波数の補正をしない状態とするようにしている。
【０１１９】
すなわち、本実施の形態４は、アンテナ２０によって送受信される送信信号の信号品質にも受信信号の信号品質にも同様に影響を与える人体の近接状態に基づいて、アンテナ２０の共振周波数を補正し、アンテナ２０のアンテナ特性を改善するようにしている。よって、本実施の形態４によれば、送信信号及び受信信号の信号品質を総合的に最適化にすることができるため、より無線信号の信号品質を向上することができる。
【０１２０】
＜発明の実施の形態５＞
続いて、本発明の実施の形態５について説明する。以下、実施の形態５の内容の明確化のため、実施の形態４と同様の内容については適宜省略して説明する。
【０１２１】
上述した本実施の形態４では、チューナブルデバイス２１の静電容量を補正するか否かを、携帯端末３に使用者が近接していると判定される場合と、携帯端末３に使用者が近接していないと判定される場合とで切り替えるようにしていた。しかしながら、上述したように、アンテナ２０のインピーダンスの変化の大きさは、携帯端末３と人体との距離が近くなるに従って増加する。
【０１２２】
そこで、本実施の形態５では、近接センサ１５によって検出される携帯端末３への使用者（人体）の近接度合いに応じた適切な補正量でチューナブルデバイス２１を調整する。
【０１２３】
本実施の形態５に係る携帯端末３の外部構成及び内部構成は、実施の形態４と同様であるため、説明を省略するが、チューナブルデバイス２１に対する上述の制御を実現するために、ＲＦＩＣ２３に保持されるパラメータ及び制御部２５の動作が一部異なる。よって、ＲＦＩＣ２３で保持されるパラメータの違いを明確にするために、図１９として、本実施の形態５に係る携帯端末３の内部構成を示す。
【０１２４】
ここで、アンテナ２０の静電容量は、携帯端末３と使用者との距離が近くなるに従って増加し、それに伴い共振周波数が低周波数方向にシフトする量も増加する。よって、携帯端末３と使用者との距離が近くなり、共振周波数の低周波数方向へのずれが増加するに従って、共振周波数を高周波数方向に補正する補正量が増加するように制御することで、より共振周波数を所望の周波数に補正することが可能となる。
【０１２５】
そこで、制御部２５は、近接センサ１５から出力された距離通知信号が示す距離が減少するに従って補正量（共振周波数を高周波数方向に補正する量、チューナブルデバイス２１の静電容量の減少をする量）が大きくなるように制御する。言い換えると、制御部２５は、近接センサ１５から出力された距離通知信号が示す距離が増加するに従って補正量が小さくなるように制御する。
【０１２６】
具体的には、本実施の形態５では、携帯端末３に対する人体の近接が近接センサ１５によって検出されている状態として、Ｓｃｅｎａｒｉｏ２のみでなく、複数のＳｃｅｎａｒｉｏ２〜ＳｃｅｎａｒｉｏＮを管理している。ここで、Ｎは、３以上の正整数となる。すなわち、ＲＦＩＣ２３は、携帯端末３に対する人体の近接が近接センサ１５によって検出されている状態に対応するパラメータとして、Ｓｃｅｎａｒｉｏ２〜ＳｃｅｎａｒｉｏＮのそれぞれに対応するパラメータを保持している。ここで、各パラメータによって設定されるチューナブルデバイス２１の静電容量は、Ｓｃｅｎａｒｉｏ２のパラメータからＳｃｅｎａｒｉｏＮのパラメータの順に減少していくものとする。なお、当然に、Ｓｃｅｎａｒｉｏ１のパラメータは、Ｓｃｅｎａｒｉｏ２のパラメータよりも大きい静電容量を設定するパラメータとなる。
【０１２７】
制御部２５は、近接センサ１５から出力された距離通知信号が示す携帯端末３と使用者との距離が減少するに従って、Ｓｃｅｎａｒｉｏ１よりもＳｃｅｎａｒｉｏＮに近いＳｃｅｎａｒｉｏとなるように、Ｓｃｅｎａｒｉｏ１〜ＳｃｅｎａｒｉｏＮの中から、ＲＦＩＣ２３に対して設定するＳｃｅｎａｒｉｏを決定する。なお、携帯端末３と使用者との距離がとり得る距離のそれぞれから、Ｓｃｅｎａｒｉｏ１〜ＳｃｅｎａｒｉｏＮのうちのいずれのＳｃｅｎａｒｉｏが決定されるかは、予め任意に対応付けておけばよい。そして、制御部２５は、決定したＳｃｅｎａｒｉｏを設定するＳｃｅｎａｒｉｏ設定信号をＲＦＩＣ２３に出力する。ＲＦＩＣ２３は、Ｓｃｅｎａｒｉｏ設定信号によって設定されたＳｃｅｎａｒｉｏに対応するパラメータを示すパラメータ設定信号をチューナブルデバイス２１に出力する。チューナブルデバイス２１は、ＲＦＩＣ２３から出力されたパラメータ設定信号によって設定されたパラメータに対応する静電容量となるように、チューナブルデバイス２１の静電容量を変更する。
【０１２８】
このような動作によれば、携帯端末１と使用者との距離が近くなるに従って、チューナブルデバイス２１の静電容量を減少させる量（補正量）を増加させて、アンテナ２０の共振周波数を高周波数方向に戻す量を増加させることができる。よって、携帯端末３と使用者との距離が近くなるに従って低周波数方向にシフトする量が増加する共振周波数のずれを適切に補正することが可能となる。
【０１２９】
続いて、図２０を参照して、本実施の形態５に係る携帯端末３のアンテナ特性改善処理について説明する。図２０は、本実施の形態５に係る携帯端末３のアンテナ特性改善処理を示すフローチャートである。
【０１３０】
制御部２５は、チューナブルデバイス２１の静電容量の補正量が、近接センサ１５から出力された距離通知信号が示す距離の大きさに応じた補正量となるように、チューナブルデバイス２１に対して設定するパラメータを制御する（Ｓ４１）。すなわち、制御部２５は、携帯端末３と使用者との距離の大きくなるに従って、Ｓｃｅｎａｒｉｏ１よりもＳｃｅｎａｒｉｏＮに近いＳｃｅｎａｒｉｏとなるように、ＲＦＩＣ２３に対して設定するＳｃｅｎａｒｉｏを決定する。制御部２５は、決定したＳｃｅｎａｒｉｏを設定するＳｃｅｎａｒｉｏ設定信号をＲＦＩＣ２３に出力する。これにより、ＲＦＩＣ２３は、制御部２５から出力されたＳｃｅｎａｒｉｏ設定信号によって設定されたＳｃｅｎａｒｉｏに対応するパラメータを、チューナブルデバイス２１に対して設定するパラメータとして決定する。ＲＦＩＣ２３は、決定したパラメータを設定するパラメータ設定信号をチューナブルデバイス２１に出力する。上述したように、このパラメータとして、携帯端末３と使用者との距離が減少するに従って、チューナブルデバイス２１の静電容量を、より小さくするパラメータが選択されることになる。
【０１３１】
チューナブルデバイス２１は、制御部２５によって制御されたパラメータでチューナブルデバイス２１の静電容量を補正する（Ｓ４２）。すなわち、チューナブルデバイス２１は、上述したように、チューナブルデバイス２１の静電容量を、パラメータ設定信号によって設定されたパラメータに対応する静電容量とすることで、人体の影響によりずれた共振周波数を、人体の影響の度合いに応じた補正量で所望の周波数となるように補正し、アンテナ２０の特性を改善する。
【０１３２】
なお、近接センサ１５からの距離通知信号が示す値が、携帯端末３が自由空間中にあり、人体の影響を受けていない状態における値（使用者が未検出状態における値）である場合には、制御部２５は、チューナブルデバイス２１の静電容量の補正量が０となるように制御する。すなわち、制御部２５は、ＲＦＩＣ２３に対して設定するＳｃｅｎａｒｉｏとして、Ｓｃｅｎａｒｉｏ１を決定する。ＲＦＩＣ２３は、制御部２５によって設定されたＳｃｅｎａｒｉｏ１に対応するパラメータをチューナブルデバイス２１に設定する。チューナブルデバイス２１は、チューナブルデバイス２１の静電容量をＳｃｅｎａｒｉｏ１のパラメータに応じた静電容量とする。これにより、使用者が携帯端末３から遠ざかり、人体による影響が無くなった場合には、チューナブルデバイス２１の静電容量を補正しない状態に戻される。よって、人体による影響が無くなった場合には、チューナブルデバイス２１の静電容量の補正も止めて、過補正を防止することができる。
【０１３３】
ステップＳ４２の実行後は、再びステップＳ４１に戻り、同様の処理が繰り替えされる。これにより、携帯端末３に対する使用者の近接度合いに応じて、チューナブルデバイス２１の静電容量が最適となるように補正され、常に共振周波数が所望の周波数となるように維持することができる。すなわち、図７、図８Ａ、及び図８Ｂに示すように、もしくは、それよりも更に良好な状態となるように、アンテナ特性を改善することができる。
【０１３４】
以上に説明したように、本実施の形態５は、近接センサ１５から出力された距離通知信号（センサ値）が示す距離の変化が大きくなるに従って、アンテナの共振周波数の補正量が大きくなるように、アンテナ２０の共振周波数を補正するようにしている。ここで、距離の変化とは、人体の影響が無い場合における距離を基準とした変化となる。
【０１３５】
よって、本実施の形態５によれば、人物の近接状態に応じた補正量で、アンテナ２０の共振周波数をより適切に補正することができるので、より無線信号の信号品質を向上することができる。
【０１３６】
＜発明の実施の形態６＞
続いて、本発明の実施の形態６について説明する。以下、実施の形態６の内容の明確化のため、実施の形態１と同様の内容については適宜省略して説明する。
【０１３７】
上述した各実施の形態では、チューナブルデバイス２１の静電容量を補正するか否かを、使用者による携帯端末の把持状態又は使用者の携帯端末に対する近接状態に応じて補正するようにしていた。また、これらの状態は、グリップセンサ２４又は近接センサ１５によって検出するようにしていた。しかしながら、携帯端末において、使用者が把持しての操作又は使用者が近接しての使用が必要となるアプリケーションプログラム（以下、「アプリ」とも呼ぶ）が実行されている場合にも、携帯端末が使用者によって把持されている又は携帯端末に使用者が近接していると推定することができる。
【０１３８】
そこで、本実施の形態６では、アプリの実行状態に基づいて、携帯端末の使用者による把持状態又は携帯端末に対する使用者の近接状態を推定し、推定した把持状態又は近接状態に応じた適切な補正量でチューナブルデバイス２１を調整する。
【０１３９】
まず、図２１を参照して、本実施の形態６に係る携帯端末４の構成について説明する。本実施の形態６に係る携帯端末４の外部構成は、実施の形態１と同様であるため、説明を省略する。図２１は、本実施の形態６に係る携帯端末４の内部構成を示す構成図である。
【０１４０】
図２１は、本実施の形態６に係る携帯端末４として、実施の形態１に係る携帯端末１のを更に具体的に示す図となる。すなわち、図２１は、制御部２５が有するメモリ３０を図示している。また、本実施の形態６では、携帯端末４は、図２１に示すように、電極１４ａ、１４ｂ及びグリップセンサ２４を有さないようにしてもよい。
【０１４１】
メモリ３０は、携帯端末４で利用される各種アプリケーションプログラムが格納されている。具体的には、メモリ３０は、アプリケーションプログラムとして、通話アプリ３００、メーラ３０１、及びブラウザ３０２等が格納されている。なお、これらのアプリは一例にすぎず、他の種類のアプリをメモリ３０に格納し、制御部２５で実行するようにしてもよい。制御部２５は、メモリ３０に格納されたこれらのアプリを実行することで、携帯端末４としての機能を実現する。例えば、制御部２５が有するアプリケーションプロセッサがこれらのアプリを実行する。
【０１４２】
通話アプリ３００は、携帯端末４における発着信の制御を制御部２５に実行させるためのプログラムである。制御部２５は、通話アプリ３００を実行することで、例えば次に説明するような処理を実施する。制御部２５は、使用者からのタッチパネル１２に対する通話の開始を指示する入力に応じて、他の携帯端末との通話の制御を開始する。通話中は、制御部２５は、マイク１１から入力された使用者の音声を示す送信信号を、ＲＦＩＣ２３を介して他の携帯端末に送信し、他の携帯端末からＲＦＩＣ２３を介して受信した受信信号が示す他の携帯端末の使用者の音声をスピーカー１０から出音する。通話アプリ３００の実行の際には、一般的に、使用者が携帯端末４を把持しつつ、顔を携帯端末４のスピーカー１０及びマイク１１に接触又は近接させることで携帯端末４が使用される。
【０１４３】
メーラ３０１は、携帯端末４におけるメールの送受信の制御を制御部２５に実行させるためのプログラムである。制御部２５は、メーラ３０１を実行することで、例えば次に説明するような処理を実施する。制御部２５は、使用者からのタッチパネル１２に対するメール内容の入力に応じて、メールを作成し、使用者からのタッチパネル１２に対するメールの送信を指示する入力に応じて、作成したメールを示す送信信号を、ＲＦＩＣ２３を介して他の携帯端末に送信する。また、制御部２５は、他の携帯端末からＲＦＩＣ２３を介して受信した受信信号が示すメールの内容をタッチパネル１２に表示する。メーラ３０１の実行の際には、一般的に、使用者が携帯端末４を把持して、携帯端末４のタッチパネル１２を操作することで携帯端末４が使用される。
【０１４４】
ブラウザ３０２は、携帯端末４におけるウェブサイト等の表示の制御を制御部２５に実行させるためのプログラムである。制御部２５は、ブラウザ３０２を実行することで、例えば次に説明するような処理を実施する。制御部２５は、使用者からのタッチパネル１２に対するウェブサイトの表示を指示する入力に応じて、そのウェブサイトのデータを要求するＨＴＴＰリクエストを示す送信信号を、ＲＦＩＣ２３を介してインターネットに送信する。また、制御部２５は、インターネットからＲＦＩＣ２３を介して受信した受信信号が示すそのウェブサイトのデータに基づいて、タッチパネル１２にウェブサイトを表示する。ブラウザ３０２の実行の際には、一般的に、使用者が携帯端末４を把持して、携帯端末４のタッチパネル１２を操作することで携帯端末４が使用される。
【０１４５】
このように、上述したようなアプリでは、その実行の際に、使用者が携帯端末４に接触又は近接することなる。すなわち、人体の影響を受けてアンテナ２０のインピーダンスが変化し、アンテナ特性が劣化することなる。
【０１４６】
そこで、本実施の形態６では、上述したように、使用者が携帯端末４に対して接触又は近接することが想定されるアプリの実行状態に応じてチューナブルデバイス２１の静電容量を補正する。
【０１４７】
具体的には、本実施の形態６では、携帯端末４に対する人体の接触又は近接がアプリの実行として検出されておらず、携帯端末４が自由空間上にある状態をＳｃｅｎａｒｉｏ１とし、携帯端末４に対する人体の接触又は近接がアプリの実行として検出されている状態をＳｃｅｎａｒｉｏ２として管理するようにしている。すなわち、Ｓｃｅｎａｒｉｏ２のパラメータによって設定される静電容量は、Ｓｃｅｎａｒｉｏ１のパラメータによって設定される静電容量を基準として、使用者の携帯端末４に対する接触又は近接によって低周波数方向にシフトした共振周波数を、再び高周波数方向に補正して元の周波数に戻せるだけの静電容量となるように設計時に任意に定めるようにする。
【０１４８】
続いて、図２２を参照して、本実施の形態６に係る携帯端末４のアンテナ特性改善処理について説明する。図２２は、本実施の形態６に係る携帯端末４のアンテナ特性改善処理を示すフローチャートである。
【０１４９】
制御部２５は、所定のアプリを実行中か否かを判定する（Ｓ５１）。この「所定のアプリ」とは、使用者が携帯端末４に対して接触又は近接することが想定されるアプリとして予め任意に定めたアプリである。例えば、上述した通話アプリ３００、メーラ３０１、及びブラウザ３０２等を定めるようにしてよい。
【０１５０】
所定のアプリを実行中と判定した場合（Ｓ５１：Ｙｅｓ）、制御部２５は、チューナブルデバイス２１の静電容量を補正するように制御する。すなわち、制御部２５は、Ｓｃｅｎａｒｉｏ２を設定するＳｃｅｎａｒｉｏ設定信号をＲＦＩＣ２３に出力する。ＲＦＩＣ２３は、制御部２５からのＳｃｅｎａｒｉｏ設定信号の出力に応じて、Ｓｃｅｎａｒｉｏ２に対応するパラメータを設定するパラメータ設定信号をチューナブルデバイス２１に出力する。チューナブルデバイス２１は、ＲＦＩＣ２３からのパラメータ設定信号の出力に応じて、チューナブルデバイス２１の静電容量を補正した状態とする（Ｓ５２）。すなわち、チューナブルデバイス２１は、上述したように、チューナブルデバイス２１の静電容量をＳｃｅｎａｒｉｏ２のパラメータに応じた静電容量とすることで、人体の影響によりずれた共振周波数を所望の周波数となるように補正し、アンテナ２０の特性を改善する。
【０１５１】
所定のアプリを実行中でないと判定した場合（Ｓ５１：Ｎｏ）、制御部２５は、チューナブルデバイス２１の静電容量を補正しないように制御する（Ｓ５３）。すなわち、制御部２５は、Ｓｃｅｎａｒｉｏ１を設定するＳｃｅｎａｒｉｏ設定信号をＲＦＩＣ２３に出力する。ＲＦＩＣ２３は、制御部２５からのＳｃｅｎａｒｉｏ設定信号の出力に応じて、Ｓｃｅｎａｒｉｏ１に対応するパラメータを設定するパラメータ設定信号をチューナブルデバイス２１に出力する。チューナブルデバイス２１は、ＲＦＩＣ２３からのパラメータ設定信号の出力に応じて、チューナブルデバイス２１の静電容量を補正しない状態とする。すなわち、チューナブルデバイス２１の静電容量をＳｃｅｎａｒｉｏ１のパラメータに応じた静電容量とする。これによれば、使用者がアプリの実行を止めて、携帯端末４に対して接触又は近接無くなり、人体による影響が無くなったことが想定される場合には、チューナブルデバイス２１の静電容量の補正も止めて、過補正を防止することができる。
【０１５２】
ステップＳ５２、Ｓ５３の実行後は、再びステップＳ５１に戻り、同様の処理が繰り替えされる。これにより、携帯端末１が使用者によって把持されたか否かに応じて、チューナブルデバイス２１の静電容量が最適となるように調整し、常に共振周波数が所望の周波数となるように維持することができる。
【０１５３】
以上に説明したように、本実施の形態６は、メモリ３０（記憶部）に格納されたアプリ（プログラム）を実行中であると判定した場合、アンテナ２０の共振周波数を補正した状態とし、メモリ３０に格納されたアプリを実行中でないと判定した場合、アンテナ２０の共振周波数の補正をしない状態とするようにしている。
【０１５４】
ここで、このアプリは、その実行時に携帯端末４に対して人物が接触又は近接するとして予め定められたアプリである。すなわち、本実施の形態６は、アンテナ２０によって送受信される送信信号の信号品質にも受信信号の信号品質にも同様に影響を与える人体の接触状態又は近接状態に基づいて、アンテナ２０の共振周波数を補正し、アンテナ２０のアンテナ特性を改善するようにしている。よって、本実施の形態６によれば、送信信号及び受信信号の信号品質を総合的に最適化にすることができるため、より無線信号の信号品質を向上することができる。
【０１５５】
＜発明の実施の形態７＞
続いて、本発明の実施の形態７について説明する。以下、実施の形態７の内容の明確化のため、実施の形態１乃至６と同様の内容については適宜省略して説明する。
【０１５６】
まず、図２３及び図２４を参照して、本実施の形態７に係る携帯端末５の構成について説明する。図２３は、本実施の形態７に係る携帯端末５の外部構成を示す構成図である。図２４は、本実施の形態７に係る携帯端末５の内部構成を示す構成図である。
【０１５７】
携帯端末５は、実施の形態１に係る携帯端末１と同様に電極１４ａ、１４ｂを有し、また実施の形態４に係る携帯端末３と同様に近接センサ１５を有する。すなわち、携帯端末５は、電極１４ａ、１４ｂ及び近接センサ１５の両方を有する。
【０１５８】
また、実施の形態６に係る携帯端末４と同様に、制御部２５が有するメモリ３０は、携帯端末４で利用される各種アプリケーションプログラム３００、３０１、３０２が格納されている。
【０１５９】
このように、本実施の形態７では、上述の複数の実施の形態１、４、６のそれぞれで使用者の携帯端末５への接触又は近接の検出に利用されていた要素を複数有している。本実施の形態７では、上述の複数の実施の形態における使用者の携帯端末５への接触又は近接の検出方法の少なくとも２つ以上を組み合わせることで、使用者の携帯端末５への接触又は近接を検出する。これにより、より確実に使用者が携帯端末５に接触又は近接したと判定される場合のみにチューナブルデバイス２１の静電容量を補正することで、誤判定による過補正を防止する。
【０１６０】
例えば、制御部２５は、以下の（１）〜（４）の条件のうち、予め任意に定めたいずれかの条件で、使用者の接触又は近接を検出した場合に、チューナブルデバイス２１の静電容量を補正する。
【０１６１】
（１）グリップセンサ２４と、近接センサ１５の全てで、使用者の接触又は近接を検出
（２）グリップセンサ２４と、アプリ実行の全てで、使用者の接触又は近接を検出
（３）近接センサ１５と、アプリ実行の全てで、使用者の接触又は近接を検出
（４）グリップセンサ２４と、近接センサ１５と、アプリ実行の全てで、使用者の接触又は近接を検出
【０１６２】
具体的には、条件（１）では、グリップセンサ２４から出力される静電容量通知信号が示す静電容量が閾値以下となっており、かつ、近接センサ１５から出力される距離通知信号が示す距離が閾値以下となっていると判定した場合に、チューナブルデバイス２１の静電容量を補正した状態とする。また、グリップセンサ２４から出力される静電容量通知信号が示す静電容量が閾値以下となっていない、又は、近接センサ１５から出力される距離通知信号が示す距離が閾値以下となっていないと判定した場合には、チューナブルデバイス２１の静電容量を補正しない状態とする。
【０１６３】
条件（２）では、グリップセンサ２４から出力される容量通知信号が示す静電容量が閾値以下となっており、かつ、所定のアプリが実行されていると判定した場合に、チューナブルデバイス２１の静電容量を補正した状態とする。また、グリップセンサ２４から出力される静電容量通知信号が示す静電容量が閾値以下となっていない、又は、所定のアプリが実行されていないと判定した場合には、チューナブルデバイス２１の静電容量を補正しない状態とする。
【０１６４】
条件（３）では、近接センサ１５から出力される距離通知信号が示す距離が閾値以下となっており、かつ、所定のアプリが実行されていると判定した場合に、チューナブルデバイス２１の静電容量を補正した状態とする。また、近接センサ１５から出力される距離通知信号が示す距離が閾値以下となっていない、又は、所定のアプリが実行されていないと判定した場合には、チューナブルデバイス２１の静電容量を補正しない状態とする。
【０１６５】
条件（４）では、グリップセンサ２４から出力される静電容量通知信号が示す静電容量が閾値以下となっており、近接センサ１５から出力される距離通知信号が示す距離が閾値以下となっており、かつ、所定のアプリが実行されていると判定した場合に、チューナブルデバイス２１の静電容量を補正した状態とする。また、グリップセンサ２４から出力される静電容量通知信号が示す静電容量が閾値以下となっていない、近接センサ１５から出力される距離通知信号が示す距離が閾値以下となっていない、又は、所定のアプリが実行されていないと判定した場合には、チューナブルデバイス２１の静電容量を補正しない状態とする。
【０１６６】
このように、複数の検出方法で、使用者の接触又は近接を検出した場合に、チューナブルデバイス２１の静電容量を補正する。
【０１６７】
具体的には、本実施の形態７では、携帯端末５に対する人体の接触又は近接が上記の条件によって検出されておらず、携帯端末３が自由空間上にある状態をＳｃｅｎａｒｉｏ１とし、携帯端末５に対する人体の接触又は近接が上記の条件によって検出されている状態をＳｃｅｎａｒｉｏ２として管理するようにしている。すなわち、Ｓｃｅｎａｒｉｏ２のパラメータによって設定される静電容量は、Ｓｃｅｎａｒｉｏ１のパラメータによって設定される静電容量を基準として、上記の条件に対応する使用者の携帯端末５に対する接触又は近接によって低周波数方向にシフトした共振周波数を、再び高周波数方向に補正して元の周波数に戻せるだけの静電容量となるように設計時に任意に定めるようにする。
【０１６８】
続いて、図２５を参照して、本実施の形態７に係る携帯端末５のアンテナ特性改善処理について説明する。図２５は、本実施の形態７に係る携帯端末５のアンテナ特性改善処理を示すフローチャートである。
【０１６９】
制御部２５は、上述の（１）〜（４）の条件のうち、予め任意に定めたいずれかの条件を満たしているか否かを判定する（Ｓ６１）。
【０１７０】
条件を満たしていると判定した場合（Ｓ６１：Ｙｅｓ）、制御部２５は、チューナブルデバイス２１の静電容量を補正するように制御する。すなわち、制御部２５は、Ｓｃｅｎａｒｉｏ２を設定するＳｃｅｎａｒｉｏ設定信号をＲＦＩＣ２３に出力する。ＲＦＩＣ２３は、制御部２５からのＳｃｅｎａｒｉｏ設定信号の出力に応じて、Ｓｃｅｎａｒｉｏ２に対応するパラメータを設定するパラメータ設定信号をチューナブルデバイス２１に出力する。チューナブルデバイス２１は、ＲＦＩＣ２３からのパラメータ設定信号の出力に応じて、チューナブルデバイス２１の静電容量を補正した状態とする（Ｓ６２）。すなわち、チューナブルデバイス２１は、上述したように、チューナブルデバイス２１の静電容量をＳｃｅｎａｒｉｏ２のパラメータに応じた静電容量とすることで、人体の影響によりずれた共振周波数を所望の周波数となるように補正し、アンテナ２０の特性を改善する。
【０１７１】
条件を満たしていないと判定した場合（Ｓ６１：Ｎｏ）、制御部２５は、チューナブルデバイス２１の静電容量を補正しないように制御する（Ｓ６３）。すなわち、制御部２５は、Ｓｃｅｎａｒｉｏ１を設定するＳｃｅｎａｒｉｏ設定信号をＲＦＩＣ２３に出力する。ＲＦＩＣ２３は、制御部２５からのＳｃｅｎａｒｉｏ設定信号の出力に応じて、Ｓｃｅｎａｒｉｏ１に対応するパラメータを設定するパラメータ設定信号をチューナブルデバイス２１に出力する。チューナブルデバイス２１は、ＲＦＩＣ２３からのパラメータ設定信号の出力に応じて、チューナブルデバイス２１の静電容量を補正しない状態とする。すなわち、チューナブルデバイス２１の静電容量をＳｃｅｎａｒｉｏ１のパラメータに応じた静電容量とする。これによれば、使用者が携帯端末５に接触又は近接しなくなり、人体による影響が無くなった場合には、チューナブルデバイス２１の静電容量の補正も止めて、過補正を防止する。
【０１７２】
ステップＳ６２、Ｓ６３の実行後は、再びステップＳ６１に戻り、同様の処理が繰り替えされる。これにより、携帯端末１が使用者によって把持されたか否かに応じて、チューナブルデバイス２１の静電容量が最適となるように調整し、常に共振周波数が所望の周波数となるように維持することができる。
【０１７３】
なお、以上の説明では、上述の（１）〜（４）のうち、採用した条件に含まれる複数の条件うち、少なくとも１つでも使用者が携帯端末５に接触又は近接していないと判定された場合に、チューナブルデバイス２１の静電容量を補正しない状態とするようにしているが、これに限られない。すなわち、採用した条件に含まれる複数の条件の全てで使用者が携帯端末５に接触又は近接していないと判定された場合に、チューナブルデバイス２１の静電容量を補正しない状態とするようしてもよい。
【０１７４】
また、携帯端末５は、（１）〜（４）のうち、採用した条件で使用しない構成要素については備えないようにしてもよい。例えば、（２）の条件を共振周波数を補正するか否かを判定する条件として定めた場合には、近接センサ１５は、携帯端末５に備えないようにしてもよい。また、例えば、（３）の条件を共振周波数を補正するか否かを判定する条件として定めた場合には、電極１４ａ、１４ｂ及びグリップセンサ２４は、携帯端末５に備えないようにしてもよい。
【０１７５】
以上に説明したように、本実施の形態５では、複数の条件によって使用者が携帯端末５に接触又は近接していると判定された場合に、チューナブルデバイス２１の静電容量を補正するようにしている。
【０１７６】
これによれば、一時的にいずれかの条件を満たすことにより、静電容量を補正する状態と補正しない状態との間で移行が頻発し、アンテナ特性を安定的に改善することができなくなってしまう事態を防止することができる。
【０１７７】
＜発明の実施の形態８＞
続いて、本発明の実施の形態８について説明する。以下、実施の形態８の内容の明確化のため、実施の形態１と同様の内容については適宜省略して説明する。
【０１７８】
まず、図２６を参照して、本実施の形態８に係る携帯端末６の外部構成について説明する。図２６は、本実施の形態８に係る携帯端末６の外部構成を示す構成図である。
【０１７９】
携帯端末６は、実施の形態１に係る携帯端末１と比較して、電極１４ａ、１４ｂに加えて、さらに電極１４ｇ、１４ｈ、及びアンテナ４０を有する。
【０１８０】
アンテナ２０及びアンテナ４０は、ＭＩＭＯ（Multiple Input Multiple Output）における複数のアンテナとして機能する。アンテナ２０及びアンテナ４０は、一方がＭＩＭＯにおけるメインアンテナとして機能し、他方がＭＩＭＯにおけるサブアンテナとして機能する。
【０１８１】
電極１４ａ、１４ｂは、実施の形態１と同様に、その間の静電容量が検出される組となっている。電極１４ｇ、１４ｈは、使用者が携帯端末６を把持したときに使用者の手と接触するように、携帯端末６の左右の両端に配設されている。電極１４ｇ、１４ｈは、その間の静電容量が検出される組となっている。ここで、携帯端末６をタッチパネル１２等が配設されている面から見た場合において、携帯端末６の長手方向（図１の上下方向）を上下方向とし、携帯端末１の短手方向（図１の左右方向）を左右方向として説明する。
【０１８２】
電極１４ａと電極１４ｂは、携帯端末６の左右方向において互いにその少なくとも一部が重複するように配設されている。電極１４ｇ、１４ｈは、携帯端末１の左右方向において互いにその少なくとも一部が重複するように配設されている。電極１４ｇは、電極１４ａの上方に位置するように配設されている。電極１４ｈは、電極１４ｂの上方に位置するように配設されている。なお、電極１４ａ、１４ｂ、１４ｇ、１４ｈの大きさは、任意の大きさとしてよい。
【０１８３】
アンテナ２０は、電極１４ｇ、１４ｈよりも電極１４ａ、１４ｂに近い位置に配設されている。アンテナ２０は、例えば、携帯端末６の左右方向において、その少なくとも一部が電極１４ａと電極１４ｂの間に位置するように配設されている。なお、図２６では、アンテナ２０が電極１４ａよりも電極１４ｂに近い位置に配設されているが、電極１４ｂよりも電極１４ａに近い位置に配設されるようにしてもよく、電極１４ａと電極１４ｂの中間の位置に配設されるようにしてもよい。
【０１８４】
アンテナ４０は、アンテナ２０の上方に配置されている。アンテナ４０は、電極１４ａ、１４ｂよりも電極１４ｇ、１４ｈに近い位置に配設されている。アンテナ４０は、例えば、携帯端末６の左右方向において、その少なくとも一部が電極１４ｇと電極１４ｈの間に位置するように配設されている。なお、図２６では、アンテナ４０が電極１４ｇよりも電極１４ｈに近い位置に配設されているが、電極１４ｈよりも電極１４ｇに近い位置に配設されるようにしてもよく、電極１４ｇと電極１４ｈの中間の位置に配設されるようにしてもよい。
【０１８５】
このような構成により、例えば、使用者が携帯端末６の下側を把持した場合、電極１４ａと電極１４ｂが使用者と手と接触する。例えば、使用者が携帯端末６の下側を把持したときに、電極１４ａ、１４ｂの一方に使用者の親指が接触し、他方に使用者の人差し指乃至小指の少なくとも１つが接触する。また、例えば、使用者が携帯端末６の上側を把持した場合、電極１４ｇと電極１４ｈが使用者の手と接触する。例えば、使用者が携帯端末６の上側を把持したときに、電極１４ｇ、１４ｈの一方に使用者の親指が接触し、他方に使用者の人差し指乃至小指の少なくとも１つが接触する。すなわち、電極１４ａ、１４ｂの間の静電容量の変化と、電極１４ｇ、１４ｈの間の静電容量の変化とに基づいて、使用者が携帯端末６の上側と下側のいずれを把持しているかを検出することが可能となる。
【０１８６】
続いて、図２７を参照して、本実施の形態８に係る携帯端末６の内部構成について説明する。図２７は、本実施の形態８に係る携帯端末６の内部構成を示す構成図である。
【０１８７】
携帯端末６は、実施の形態１に係る携帯端末１と比較して、さらに、グリップセンサ２８、アンテナ４０、チューナブルデバイス４１、ＦＥＭ４２、及びＲＦＩＣ４３を有する。
【０１８８】
アンテナ４０は、チューナブルデバイス４１から出力された送信信号を外部に向けて無線信号として送信する。アンテナ４０は、外部からの無線信号を受信信号として受信し、受信した受信信号をチューナブルデバイス４１に送信する。これらの無線信号は、例えば、基地局を介して他の携帯端末との間で送受信される信号となる。
【０１８９】
チューナブルデバイス４１は、アンテナ４０の直下に配置される。チューナブルデバイス４１は、アンテナ４０のインピーダンスを調整して、アンテナ４０の共振周波数を調整する。チューナブルデバイス４１は、チューナブルデバイス２１と同様の手法により、ＲＦＩＣ４３から出力されたパラメータ設定信号によって設定されたパラメータに応じた周波数となるように、アンテナ４０の共振周波数を調整する。
【０１９０】
アンテナ４０から出力された受信信号は、チューナブルデバイス４１を介してＦＥＭ４２に出力される。ＦＥＭ４２から出力された送信信号は、チューナブルデバイス４１を介してアンテナ４０に出力される。これにより、受信信号及び送信信号は、アンテナ４０の共振周波数が最適な周波数とされた環境下で送受信される。
【０１９１】
ＦＥＭ４２は、所望の周波数を中心とした所定帯域幅の周波数帯域以外の信号を抑制することで、所望の周波数を中心とした所定帯域幅の周波数帯域の信号を通過させてノイズを除去する等の動作を行う。
【０１９２】
ＲＦＩＣ４３は、制御部２５から出力された送信信号を、ＩＦ信号からＲＦ信号に変換し、ＦＥＭ４２に出力する。ＲＦＩＣ４３は、ＦＥＭ４２から出力された受信信号を、ＲＦ信号からＩＦ信号に変換し、制御部２５に出力する。
【０１９３】
また、ＲＦＩＣ４３は、ＲＦＩＣ２３と同様に、通信中の周波数バンドをスキャンし、スキャンした周波数バンドにおける周波数の無線信号が処理対象となるようにチューナブルデバイス４１を制御する。すなわち、ＲＦＩＣ４３は、スキャンした周波数バンドにおける周波数が共振周波数となるパラメータを示すパラメータ設定信号をチューナブルデバイス４１出力する。これにより、通信中の周波数バンドが変更されて、受信信号及び送信信号の周波数が変更された場合であっても、通信中の周波数バンドを特定して、変更後の周波数バンドに応じた受信信号及び送信信号の送受信を可能とする。
【０１９４】
グリップセンサ２８は、電極１４ｇ、１４ｈ間の静電容量を検出し、検出した静電容量に応じた電圧値をＡ／Ｄ変換した信号を、静電容量を示す静電容量通知信号として生成し、制御部２５に出力する。
【０１９５】
制御部２５は、ＲＦＩＣ４３側に対しても、ＲＦＩＣ２３側と同様に、受信信号の受信及び送信信号の送信及び共振周波数の補正に関する制御を実施する。また、本実施の形態８では、ＭＩＭＯによって無線信号を空間多重して送受信することになる。そのため、厳密には、制御部２５は、ＭＩＭＯにおける処理を実行する回路を有し、その回路によって送信信号の分離及び受信信号の結合を行うことになるが、その技術は既知のものを使用すればよいため、詳細な説明は省略する。
【０１９６】
本実施の形態８では、制御部２５は、グリップセンサ２４で検出される電極１４ａ、１４ｂ間の静電容量と、グリップセンサ２８で検出される電極１４ｇ、１４ｈ間の静電容量に基づいて、使用者による携帯端末６の把持状態を認識し、認識した把持状態に応じてチューナブルデバイス２１及びチューナブルデバイス４１の静電容量を調整してアンテナ２０及びアンテナ４０のインピーダンスを最適化することで、アンテナ２０及びアンテナ４０の特性を改善する。これにより、アンテナ２０及びアンテナ４０における使用者（人体）の影響による共振周波数のずれを補正し、共振周波数を所望の周波数とすることを実現する。
【０１９７】
上述した構成において、使用者が携帯端末６を把持する状況について説明する。使用者が携帯端末６の下側を把持した場合は、図２８Ａに示すように、アンテナ２０が手で覆われてしまうため、アンテナ２０に対する人体の影響が大きくなり、アンテナ２０のアンテナ特性の劣化が大きくなってしまう。逆に、使用者が携帯端末６の上側を把持した場合は、図２８Ｂに示すように、アンテナ４０が手で覆われてしまうため、アンテナ４０に対する人体の影響が大きくなり、アンテナ４０のアンテナ特性の劣化が大きくなってしまう。
【０１９８】
これに対して、本実施の形態８では、上述したように電極１４ａ、１４ｂ、１４ｇ、１４ｈへの使用者の手の接触状態に基づいて、アンテナ２０及びアンテナ４０のうち、どちらのアンテナに対して影響の大きい把持の仕方をしているかを判定し、把持の仕方に応じてチューナブルデバイス２１及びチューナブルデバイス４１の静電容量を補正する。
【０１９９】
続いて、図２９Ａ〜図２９Ｃを参照して、本実施の形態８に係るグリップセンサ２４、２８による把持検出方法について説明する。図２９Ａは、携帯端末６が把持されていない状態における静電容量と閾値との関係を示す図である。図２９Ｂは、携帯端末６の下側が把持されている状態（アンテナ４０よりもアンテナ２０への人体の影響が大きい状態）における静電容量と閾値との関係を示す図である。図２９Ｃは、携帯端末６の上側が把持されている状態（アンテナ２０よりもアンテナ４０への人体の影響が大きい）における静電容量と閾値との関係を示す図である。
【０２００】
電極１４ａと電極１４ｂの間の静電容量は、図２８Ｂに示すように、使用者によって携帯端末６の上部が把持されて、電極１４ａと電極１４ｂを掴むように把持されていない状態では大きくなり、図２８Ａに示すように、携帯端末６が使用者によって電極１４ａと電極１４ｂを掴むように把持されている状態では小さくなる。また、電極１４ｇと電極１４ｈの間の静電容量は、図２８Ａに示すように、使用者によって携帯端末６の下部が把持されて、電極１４ｇと電極１４ｈを掴むように把持されていない状態では大きくなり、図２８Ｂに示すように、使用者によって電極１４ｇと電極１４ｈを掴むように把持されている状態では小さくなる。そこで、本実施の形態８では、電極１４ａと電極１４ｂの間の静電容量及び電極１４ｇと電極１４ｈの間の静電容量のいずれが、予め任意に定めた閾値以下か否かによって、使用者による携帯端末６の把持状態を判定する。なお、閾値は、使用者の手によって電極間が把持されていると判定できるだけの静電容量を予め任意に定めるようにしてよい。
【０２０１】
すなわち、制御部２５は、図２９Ａに示すように、電極１４ａ、１４ｂ間の静電容量（図２９Ａの「Working Level 1」）と、電極１４ｇ、１４ｈ間の静電容量（図２９Ａの「Working Level 2」）が閾値（図２９Ａの「Threhold」）よりも大きい場合には、携帯端末６が使用者によって把持されていないと判定する。
【０２０２】
また、制御部２５は、図２９Ｂに示すように、電極１４ａ、１４ｂ間の静電容量が閾値以下であり、かつ電極１４ｇ、１４ｈ間の静電容量が閾値よりも大きい場合には、アンテナ４０と比較してアンテナ２０への人体の影響が大きい持ち方で、使用者によって携帯端末６が把持されていると判定する。例えば、図２８Ａに示すように、アンテナ４０よりもアンテナ２０に手が近接している持ち方の場合、アンテナ４０側の電極１４ｇ、１４ｈ間の静電容量よりも、アンテナ２０側の電極１４ａ、１４ｂ間の静電容量が大きく変化するからである。
【０２０３】
また、制御部２５は、図２９Ｃに示すように、電極１４ａ、１４ｂ間の静電容量が閾値よりも大きく、かつ電極１４ｇ、１４ｈ間の静電容量が閾値以下である場合には、アンテナ４０と比較してアンテナ２０への人体の影響が小さい持ち方（アンテナ２０と比較してアンテナ４０への人体の影響が比較的大きい持ち方）で、使用者によって携帯端末６が把持されていると判定する。例えば、図２８Ｂに示すように、アンテナ２０よりもアンテナ４０に手が近接している持ち方の場合、アンテナ２０側の電極１４ａ、１４ｂ間の静電容量よりも、アンテナ４０側の電極１４ｇ、１４ｈ間の静電容量が大きく変化するからである。
【０２０４】
そして、制御部２５は、図２８Ａに示すように、アンテナ２０への人体の影響が比較的大きく、かつアンテナ４０への人体の影響が比較的小さい持ち方で、使用者によって携帯端末６が把持されていると判定した場合、チューナブルデバイス２１の静電容量の補正量（チューナブルデバイスの静電容量を減少する量）が、第１の補正量となるように制御するとともに、チューナブルデバイス４１の静電容量の補正量が、第１の補正量よりも小さい第２の補正量となるように制御する。一方、図２８Ｂに示すように、アンテナ２０への人体の影響が比較的小さく、かつアンテナ４０への人体の影響が比較的大きい持ち方で、使用者によって携帯端末６が把持されていると判定した場合、チューナブルデバイス２１の静電容量の補正量が、第２の補正量となるように制御するとともに、チューナブルデバイス４１の静電容量の補正量が、第１の補正量となるように制御する。
【０２０５】
具体的には、本実施の形態８では、携帯端末６に対する人体の接触が検出される状態として、携帯端末６に対する人体の接触がグリップセンサ２４によって検出されている状態となるＳｃｅｎａｒｉｏ２のみでなく、携帯端末６に対する人体の接触がグリップセンサ２８によって検出されている状態となるＳｃｅｎａｒｉｏ３も管理している。すなわち、ＲＦＩＣ２３は、携帯端末６に対する人体の接触がグリップセンサ２４、２８によって検出されている状態に対応するパラメータとして、Ｓｃｅｎａｒｉｏ２及びＳｃｅｎａｒｉｏ３のそれぞれに対応するパラメータを保持している。ここで、各パラメータによって設定されるチューナブルデバイス２１の静電容量は、ＲＦＩＣ２３においては、Ｓｃｅｎａｒｉｏ３のパラメータよりもＳｃｅｎａｒｉｏ２のパラメータのほうが減少し、ＲＦＩＣ４３においては、Ｓｃｅｎａｒｉｏ２のパラメータよりもＳｃｅｎａｒｉｏ３のパラメータのほうが減少するものとする。すなわち、Ｓｃｅｎａｒｉｏ２は、図２８Ａに示すように、アンテナ２０への人体の影響が比較的大きく、かつアンテナ４０への人体の影響が比較的小さい把持状態に対応する。また、Ｓｃｅｎａｒｉｏ３は、図２８Ｂに示すように、アンテナ２０への人体の影響が比較的小さく、かつアンテナ４０への人体の影響が比較的小さい把持状態に対応する。なお、当然に、Ｓｃｅｎａｒｉｏ１のパラメータは、Ｓｃｅｎａｒｉｏ２及びＳｃｅｎａｒｉｏ３のパラメータよりも大きい静電容量を設定するパラメータとなる。
【０２０６】
例えば、ＲＦＩＣ２３のＳｃｅｎａｒｉｏ２のパラメータによって設定される静電容量と、ＲＦＩＣ４３のＳｃｅｎａｒｉｏ３のパラメータによって設定される静電容量は、同一に設定されている。また、ＲＦＩＣ２３のＳｃｅｎａｒｉｏ３のパラメータによって設定される静電容量と、ＲＦＩＣ４３のＳｃｅｎａｒｉｏ２のパラメータによって設定される静電容量は、同一に設定されている。また、ＲＦＩＣ２３のＳｃｅｎａｒｉｏ１のパラメータによって設定される静電容量と、ＲＦＩＣ４３のＳｃｅｎａｒｉｏ１のパラメータによって設定される静電容量は、同一に設定されている。
【０２０７】
制御部２５は、図２９Ａに示すように、電極１４ａ、１４ｂ間の静電容量と、電極１４ｇ、１４ｈ間の静電容量の両方が、閾値よりも大きい場合には、ＲＦＩＣ２３に対して設定するＳｃｅｎａｒｉｏとして、Ｓｃｅｎａｒｉｏ１を決定する。また、制御部２５は、図２９Ｂに示すように、電極１４ａ、１４ｂ間の静電容量が閾値以下であり、かつ電極１４ｇ、１４ｈ間の静電容量が閾値よりも大きい場合には、ＲＦＩＣ２３に対して設定するＳｃｅｎａｒｉｏとして、Ｓｃｅｎａｒｉｏ２を決定する。また、制御部２５は、図２９Ｃに示すように、電極１４ａ、１４ｂ間の静電容量が閾値よりも大きく、かつ電極１４ｇ、１４ｈ間の静電容量が閾値以下である場合には、ＲＦＩＣ２３に対して設定するＳｃｅｎａｒｉｏとして、Ｓｃｅｎａｒｉｏ３を決定する。そして、制御部２５は、決定したＳｃｅｎａｒｉｏを設定するＳｃｅｎａｒｉｏ設定信号をＲＦＩＣ２３及びＲＦＩＣ４３に出力する。ＲＦＩＣ２３及びＲＦＩＣ４３のそれぞれは、Ｓｃｅｎａｒｉｏ設定信号によって設定されたＳｃｅｎａｒｉｏに対応するパラメータを示すパラメータ設定信号をチューナブルデバイス２１及びチューナブルデバイス４１のそれぞれに出力する。チューナブルデバイス２１及びチューナブルデバイス４１のそれぞれは、ＲＦＩＣ２３及びＲＦＩＣ４３のそれぞれから出力されたパラメータ設定信号によって設定されたパラメータに対応する静電容量となるように、チューナブルデバイス２１及びチューナブルデバイス４１のそれぞれの静電容量を変更する。
【０２０８】
このような動作によれば、使用者の携帯端末６の把持の仕方による人体の影響の違いに応じて、チューナブルデバイス２１及びチューナブルデバイス４１の静電容量を減少させる量（補正量）を切り替えて、アンテナ２０及びアンテナ４０の共振周波数を高周波数方向に戻す量を最適にすることができる。よって、使用者の携帯端末６の把持の仕方によって変化する共振周波数のずれ量に適した補正をすることが可能となる。
【０２０９】
続いて、図３０を参照して、本実施の形態８に係る携帯端末６のアンテナ特性改善処理について説明する。図３０は、本実施の形態８に係る携帯端末６のアンテナ特性改善処理を示すフローチャートである。
【０２１０】
制御部２５は、グリップセンサ２４から出力される静電容量通知信号が示す電極１４ａ、１４ｂ間の静電容量が閾値以下となっているか否かを判定する（Ｓ７１）。
【０２１１】
電極１４ａ、１４ｂ間の静電容量が閾値以下となっていると判定した場合（Ｓ７１：Ｙｅｓ）、制御部２５は、チューナブルデバイス２１の静電容量の補正量が第１の補正量となり、チューナブルデバイス４１の静電容量の補正量が第２の補正量となるように制御する。すなわち、制御部２５は、ＲＦＩＣ２３及びＲＦＩＣ４３に対して設定するＳｃｅｎａｒｉｏとして、Ｓｃｅｎａｒｉｏ２を決定する。制御部２５は、決定したＳｃｅｎａｒｉｏ２を設定するＳｃｅｎａｒｉｏ設定信号をＲＦＩＣ２３及びＲＦＩＣ４３に出力する。ＲＦＩＣ２３及びＲＦＩＣ４３のそれぞれは、制御部２５からのＳｃｅｎａｒｉｏ設定信号の出力に応じて、Ｓｃｅｎａｒｉｏ２に対応するパラメータを設定するパラメータ設定信号をチューナブルデバイス２１及びＲＦＩＣ４３のそれぞれに出力する。チューナブルデバイス２１は、ＲＦＩＣ２３からのパラメータ設定信号の出力に応じて、第１の補正量で、チューナブルデバイス２１の静電容量を補正した状態とする（Ｓ７２）。すなわち、チューナブルデバイス２１は、チューナブルデバイス２１の静電容量を、Ｓｃｅｎａｒｉｏ２のパラメータに応じた静電容量とする。また、チューナブルデバイス４１は、ＲＦＩＣ４３からのパラメータ設定信号の出力に応じて、第２の補正量で、チューナブルデバイス４１の静電容量を補正した状態とする（Ｓ７３）。すなわち、チューナブルデバイス４１は、チューナブルデバイス４１の静電容量を、Ｓｃｅｎａｒｉｏ２のパラメータに応じた静電容量とする。
【０２１２】
ここで、第２の補正量は、第１の補正量よりも小さい。すなわち、チューナブルデバイス２１に設定される静電容量は、上述したように、チューナブルデバイス４１に設定される静電容量よりも、より減少した静電容量となる。電極１４ａ、１４ｂ間の静電容量が閾値以下となっていると判定した場合（Ｓ７１：Ｙｅｓ）は、図２８Ａに示すように、携帯端末６の下側が把持されていると推定される。この場合、携帯端末６の上側のアンテナ４０よりも携帯端末６の下側のアンテナ２０に対する人体の影響が大きい。よって、携帯端末６の下側のアンテナ２０に対応するチューナブルデバイス２１に対する補正量を大きくし、携帯端末６の上側のアンテナ４０に対応するチューナブルデバイス４１に対する補正量を小さくすることで、把持状態に適した共振周波数の補正をすることができる。
【０２１３】
電極１４ａ、１４ｂ間の静電容量が閾値以下となっていないと判定した場合（Ｓ７１：Ｎｏ）、制御部２５は、グリップセンサ２８から出力される静電容量通知信号が示す電極１４ｇ、１４ｈ間の静電容量が閾値以下となっているか否かを判定する（Ｓ７４）。
【０２１４】
電極１４ｇ、１４ｈ間の静電容量が閾値以下となっていると判定した場合（Ｓ７４：Ｙｅｓ）、制御部２５は、チューナブルデバイス２１の静電容量の補正量が第２の補正量となり、チューナブルデバイス４１の静電容量の補正量が第１の補正量となるように制御する。すなわち、制御部２５は、ＲＦＩＣ２３及びＲＦＩＣ４３に対して設定するＳｃｅｎａｒｉｏとして、Ｓｃｅｎａｒｉｏ３を決定する。制御部２５は、決定したＳｃｅｎａｒｉｏ３を設定するＳｃｅｎａｒｉｏ設定信号をＲＦＩＣ２３及びＲＦＩＣ４３に出力する。ＲＦＩＣ２３及びＲＦＩＣ４３のそれぞれは、制御部２５からのＳｃｅｎａｒｉｏ設定信号の出力に応じて、Ｓｃｅｎａｒｉｏ３に対応するパラメータを設定するパラメータ設定信号をチューナブルデバイス２１及びＲＦＩＣ４３のそれぞれに出力する。チューナブルデバイス２１は、ＲＦＩＣ２３からのパラメータ設定信号の出力に応じて、第２の補正量で、チューナブルデバイス２１の静電容量を補正した状態とする（Ｓ７５）。すなわち、チューナブルデバイス２１は、チューナブルデバイス２１の静電容量を、Ｓｃｅｎａｒｉｏ３のパラメータに応じた静電容量とする。また、チューナブルデバイス４１は、ＲＦＩＣ４３からのパラメータ設定信号の出力に応じて、第１の補正量で、チューナブルデバイス４１の静電容量を補正した状態とする（Ｓ７６）。すなわち、チューナブルデバイス４１は、チューナブルデバイス４１の静電容量を、Ｓｃｅｎａｒｉｏ３のパラメータに応じた静電容量とする。
【０２１５】
ここで、チューナブルデバイス４１に設定される静電容量は、上述したように、チューナブルデバイス２１に設定される静電容量よりも、より減少した静電容量となる。電極１４ｇ、１４ｈ間の静電容量が閾値以下となっていると判定した場合（Ｓ７４：Ｙｅｓ）は、図２８Ｂに示すように、携帯端末６の上側が把持されていると推定される。この場合、携帯端末６の下側のアンテナ２０よりも携帯端末６の上側のアンテナ４０に対する人体の影響が大きい。よって、携帯端末６の上側のアンテナ４０に対応するチューナブルデバイス４１に対する補正量を大きくし、携帯端末６の下側のアンテナ２０に対応するチューナブルデバイス２１に対する補正量を小さくすることで、把持状態に適した共振周波数の補正をすることができる。
【０２１６】
電極１４ｇ、１４ｈ間の静電容量が閾値以下となっていないと判定した場合（Ｓ７４：Ｎｏ）、電極１４ａ、１４ｂ間の静電容量と電極１４ｇ、１４ｈ間の静電容量は、いずれも閾値以下となっていないことになる。この場合、制御部２５は、チューナブルデバイス２１及びチューナブルデバイス４１の静電容量の補正量が０となるように制御する（Ｓ７７）。すなわち、制御部２５は、Ｓｃｅｎａｒｉｏ１を設定するＳｃｅｎａｒｉｏ設定信号をＲＦＩＣ２３及びＲＦＩＣ４３に出力する。ＲＦＩＣ２３及びＲＦＩＣ４３のそれぞれは、制御部２５からのＳｃｅｎａｒｉｏ設定信号の出力に応じて、Ｓｃｅｎａｒｉｏ１に対応するパラメータを設定するパラメータ設定信号をチューナブルデバイス２１及びチューナブルデバイス４１に出力する。チューナブルデバイス２１及びチューナブルデバイス４１のそれぞれは、ＲＦＩＣ２３及びＲＦＩＣ４３のそれぞれからのパラメータ設定信号の出力に応じて、チューナブルデバイス２１の静電容量を補正しない状態とする。これによれば、使用者が携帯端末６の把持を止めて、人体による影響が無くなった場合には、チューナブルデバイス２１、４１の静電容量の補正も止めて、過補正を防止することができる。
【０２１７】
ステップＳ７３、Ｓ７６、Ｓ７７の実行後は、再びステップＳ７１に戻り、同様の処理が繰り替えされる。これにより、使用者による携帯端末６の把持状態に応じて、チューナブルデバイス２１、４１の静電容量が最適となるように調整し、常に共振周波数が所望の周波数となるように維持することができる。
【０２１８】
なお、以上の説明では、携帯端末６の上側又は下側が把持され、電極１４ａ、１４ｂ間の静電容量と電極１４ｇ、１４ｈ間の静電容量のうち、いずれか一方の静電容量のみが閾値以下となることを前提とした処理について説明したが、これに限られない。例えば、電極１４ａ、１４ｂ間の静電容量が閾値以下となっており、かつ電極１４ｇ、１４ｈ間の静電容量が閾値以下となっていない場合に、チューナブルデバイス２１に対する補正量を第１の補正量とし、チューナブルデバイス４１に対する補正量を第２の補正量とするようにしてもよい。また、例えば、携帯端末６の上側も下側も全体的に覆うように把持されることで、電極１４ａ、１４ｂ間の静電容量と電極１４ｇ、１４ｈ間の静電容量の両方が閾値以下となったと判定した場合には、チューナブルデバイス２１、４１の両方に対する補正量を第１の補正量とするようにしてもよい。
【０２１９】
例えば、携帯端末６に対する人体の接触がグリップセンサ２４及びグリップセンサ２８の両方によって検出されている状態となるＳｃｅｎａｒｉｏ４に対応するパラメータをＲＦＩＣ２３及びＲＦＩＣ４３にさらに保持するようにすればよい。このパラメータは、チューナブルデバイス２１、４１に対する補正量が第１の補正量となるように、チューナブルデバイス２１、４１の静電容量を設定するパラメータとなる。そして、制御部２５は、電極１４ａ、１４ｂ間の静電容量と電極１４ｇ、１４ｈ間の静電容量の両方が閾値以下となったと判定した場合には、Ｓｃｅｎａｒｉｏ４をＲＦＩＣ２３及びＲＦＩＣ４３に設定するようにすればよい。以降のＲＦＩＣ２３、４３及びチューナブルデバイス２１、４１の動作については、上述同様となる。
【０２２０】
また、チューナブルデバイス２１、４１の静電容量を補正した状態（Ｓ７２及びＳ７３、もしくは、Ｓ７５及びＳ７６）に移行するか否かを判定する閾値と、チューナブルデバイス２１、４１の静電容量を補正しない状態（Ｓ７７）に移行するか否かを判定する閾値は、同一に限られず、異なる値としてよい。例えば、チューナブルデバイス２１、４１の静電容量を補正しない状態において、ステップＳ７１で判定する閾値を、第１の静電容量を示す第１の閾値とし、チューナブルデバイス２１の静電容量を第１の補正量で補正し、かつチューナブルデバイス４１の静電容量を第２の補正量で補正した状態においてステップＳ７１で判定する閾値を、第１の静電容量よりも大きい第２の静電容量を示す第２の閾値としてもよい。また、例えば、チューナブルデバイス２１、４１の静電容量を補正しない状態において、ステップＳ７４で判定する閾値を、第３の静電容量を示す第３の閾値とし、チューナブルデバイス２１の静電容量を第２の補正量で補正し、かつチューナブルデバイス４１の静電容量を第１の補正量で補正した状態においてステップＳ７４で判定する閾値を、第３の静電容量よりも大きい第４の静電容量を示す第４の閾値としてもよい。そのようにすることで、使用者が携帯端末６を握り直すこと等により、グリップセンサ２４、２８によって瞬間的に大きめの静電容量が検出されてしまったとしても、チューナブルデバイス２１、４１の静電容量を補正しない状態に移行することを防止することができる。すなわち、使用者が携帯端末６を把持し続けているのに、把持されなくなったと誤判定して静電容量を補正する状態と補正しない状態との間で移行が頻発し、アンテナ特性を安定的に改善することができなくなってしまう事態を防止することができる。
【０２２１】
（変形例１）
ここで、実施の形態８の変形例１について説明する。図３１は、本実施の形態８の変形例１に係る携帯端末７の外部構成を示す構成図である。図３２は、本実施の形態８の変形例１に係る携帯端末７の内部構成を示す構成図である。
【０２２２】
図３１及び図３２に示すように、変形例１に係る携帯端末７は、実施の形態８に係る携帯端末６と比較して、電極１４ｇ、１４ｈ及びグリップセンサ２８に代えて、近接センサ１５を有する。そして、電極１４ｇ、１４ｈ及びグリップセンサ２８に代えて、近接センサ１５によってアンテナ４０側への人体の近接を検出する。すなわち、アンテナ４０は、電極１４ａ、１４ｂよりも近接センサ１５に近い位置に配設される。また、アンテナ２０は、近接センサ１５よりも電極１４ａ、１４ｂに近い位置に配設される。
【０２２３】
この場合、上述した本実施の形態８に係るアンテナ特性改善処理において、ステップＳ７１における電極１４ａ、１４ｂ間の静電容量が閾値以下となっているか否かの判定に代えて、近接センサ１５から出力された距離通知信号が示す距離が閾値以下となっているか否かを判定するようにすればよい。
【０２２４】
すなわち、近接センサ１５から出力された距離通知信号が示す距離が閾値以下である場合、制御部２５は、チューナブルデバイス２１に対する補正量を第２の補正量とし、チューナブルデバイス４１に対する補正量を第１の補正量とする。すなわち、制御部２５は、ＲＦＩＣ２３及びＲＦＩＣ４３に対してＳｃｅｎａｒｉｏ３を設定する。
【０２２５】
また、当然に、上述同様、近接センサ１５で検出した距離が閾値以下となっており、かつ電極１４ａ、１４ｂ間の静電容量が閾値以下となっていない場合に、チューナブルデバイス２１に対する補正量を第２の補正量とし、チューナブルデバイス４１に対する補正量を第１の補正量とするようにしてもよい。また、携帯端末７の上側に使用者が近接し、かつ携帯端末７の下側も全体的に覆うように把持されることで、近接センサ１５で検出した距離が閾値以下となり、かつ電極１４ａ、１４ｂ間の静電容量も閾値以下となったと判定した場合には、チューナブルデバイス２１、４１の両方に対する補正量を第１の補正量とするようにしてもよい。すなわち、制御部２５は、ＲＦＩＣ２３及びＲＦＩＣ４３に対してＳｃｅｎａｒｉｏ４を設定する。
【０２２６】
また、当然に、上述同様、ステップＳ７１において、チューナブルデバイス２１、４１の静電容量を補正した状態（Ｓ７２及びＳ７３）に移行するか否かを判定する閾値と、チューナブルデバイス２１、４１の静電容量を補正しない状態（Ｓ７７）に移行するか否かを判定する閾値は、同一に限られず、異なる値としてよい。
【０２２７】
この変形例１によれば、例えば、使用者が頭部をスピーカー１０に近接されることで、アンテナ４０に対する人体の影響が大きくなっている場合には、チューナブルデバイス４１の静電容量を補正量の大きい第１の補正量で補正し、使用者が頭部をスピーカー１０に近接させておらず、アンテナ４０に対する人体の影響が小さくなっている場合には、チューナブルデバイス４１の静電容量を補正量の小さい第２の補正量で補正することができる。
【０２２８】
（変形例２）
ここで、実施の形態８の変形例２について説明する。図３３は、本実施の形態８の変形例１に係る携帯端末７の外部構成を示す構成図である。図３４は、本実施の形態８の変形例１に係る携帯端末７の内部構成を示す構成図である。
【０２２９】
図３３に示すように、変形例２に係る携帯端末８は、アンテナ４０がアンテナ２０の上方ではなく、アンテナ２０の左方に配設されている。アンテナ２０は、電極１４ｃ、１４ｄよりも電極１４ｅ、１４ｆに近い位置に配設されている。アンテナ４０は、電極１４ｅ
１４ｆよりも電極１４ｃ、１４ｄに近い位置に配設されている。
【０２３０】
また、図３３及び図３４に示すように、変形例２に係る携帯端末８は、実施の形態８に係る携帯端末６と比較して、電極１４ａ、１４ｂ、１４ｇ、１４ｈ及びグリップセンサ２４、２８に代えて、電極１４ｃ、１４ｄ、１４ｅ、１４ｆ及びグリップセンサ２６、２７を有する。そして、電極１４ａ、１４ｂ及びグリップセンサ２４に代えて、電極１４ｅ、電極１４ｆ及びグリップセンサ２７によってアンテナ２０側への人体の近接を検出するようにし、電極１４ｇ、１４ｈ及びグリップセンサ２８に代えて、電極１４ｃ、１４ｄ及びグリップセンサ２６によってアンテナ４０側への人体の近接を検出するようにしてもよい。
【０２３１】
この場合、上述した本実施の形態８に係るアンテナ特性改善処理において、ステップＳ７１における電極１４ａ、１４ｂ間の静電容量が閾値以下となっているか否かの判定に代えて、電極１４ｅ、１４ｆ間の静電容量が閾値以下となっているか否かを判定する。また、ステップＳ７４における電極１４ｇ、１４ｈ間の静電容量が閾値以下となっているか否かの判定に代えて、電極１４ｃ、１４ｄ間の静電容量が閾値以下となっているか否かを判定するようにすればよい。
【０２３２】
すなわち、グリップセンサ２７から出力された静電容量通知信号が示す電極１４ｅ、１４ｆ間の静電容量が閾値以下である場合、制御部２５は、チューナブルデバイス２１に対する補正量を第１の補正量とし、チューナブルデバイス４１に対する補正量を第２の補正量とする。すなわち、制御部２５は、ＲＦＩＣ２３及びＲＦＩＣ４３に対してＳｃｅｎａｒｉｏ２を設定する。また、グリップセンサ２６から出力された静電容量通知信号が示す電極１４ｃ、１４ｄ間の静電容量が閾値以下である場合、制御部２５は、チューナブルデバイス２１に対する補正量を第２の補正量とし、チューナブルデバイス４１に対する補正量を第１の補正量とする。すなわち、制御部２５は、ＲＦＩＣ２３及びＲＦＩＣ４３に対してＳｃｅｎａｒｉｏ３を設定する。
【０２３３】
また、当然に、上述同様、電極１４ｅ、１４ｆ間の静電容量が閾値以下となっており、かつ電極１４ａ、１４ｂ間の静電容量が閾値以下となっていない場合に、チューナブルデバイス２１に対する補正量を第１の補正量とし、チューナブルデバイス４１に対する補正量を第２の補正量とするようにしてもよい。また、携帯端末６の左側も右側も全体的に覆うように把持されることで、電極１４ｅ、１４ｆ間の静電容量が閾値以下となり、かつ電極１４ａ、１４ｂ間の静電容量が閾値以下となったと判定した場合には、チューナブルデバイス２１、４１の両方に対する補正量を第１の補正量とするようにしてもよい。すなわち、制御部２５は、ＲＦＩＣ２３及びＲＦＩＣ４３に対してＳｃｅｎａｒｉｏ４を設定する。
【０２３４】
また、当然に、上述同様、ステップＳ７１、Ｓ７４において、チューナブルデバイス２１、４１の静電容量を補正した状態（Ｓ７２及びＳ７３、もしくは、Ｓ７５及びＳ７６）に移行するか否かを判定する閾値と、チューナブルデバイス２１、４１の静電容量を補正しない状態（Ｓ７７）に移行するか否かを判定する閾値は、同一に限られず、異なる値としてよい。
【０２３５】
この変形例２によれば、アンテナ２０、４０が携帯端末の上下方向でなく、左右方向に配設されている場合であっても、使用者の把持状態に応じて、アンテナ２０、４０のそれぞれへの影響を考慮して適切に共振周波数を補正することができる。
【０２３６】
以上に説明したように、本実施の形態８は、第１のセンサから出力されたセンサ値に対応する人体の接触状態又は近接状態、及び、第２のセンサから出力されたセンサ値に対応する人体の接触状態又は近接状態の少なくとも１つに基づいて、第１のセンサ及び第２のセンサのうち、第１のセンサで人体の接触又は近接が検出されていると判定した場合、第２のアンテナを調整する第２のチューナブルデバイスよりも第１のアンテナを調整する第１のチューナブルデバイスに対するアンテナの共振周波数の補正量を大きくするようにしている。
【０２３７】
なお、第１のセンサは、グリップセンサ２４、近接センサ１５、又はグリップセンサ２６に対応し、第２のセンサは、グリップセンサ２８又はグリップセンサ２７に対応し、第１のチューナブルデバイスは、チューナブルデバイス４１に対応し、第２のチューナブルデバイスは、チューナブルデバイス２１に対応し、第１のアンテナは、アンテナ４０に対応し、第２のアンテナは、アンテナ２０に対応する。もしくは、第１のセンサは、グリップセンサ２８又はグリップセンサ２７に対応し、第２のセンサは、グリップセンサ２４、近接センサ１５、又はグリップセンサ２６に対応し、第１のチューナブルデバイスは、チューナブルデバイス２１に対応し、第２のチューナブルデバイスは、チューナブルデバイス４１に対応し、第１のアンテナは、アンテナ２０に対応し、第２のアンテナは、アンテナ４０に対応する。
【０２３８】
ここで、第１のセンサは、第２のアンテナよりも第１のアンテナに近い位置における人体の接触状態又は近接状態を検出し、第２のセンサは、第１のアンテナよりも第２のアンテナに近い位置における人体の接触状態又は近接状態を検出する。すなわち、本実施の形態８は、第１のアンテナに影響の大きい人体の接触状態又は近接状態である場合、その接触状態又は近接状態に合わせて、第１のアンテナに対する補正量を大きくすることができる。よって、本実施の形態８によれば、複数のアンテナを有する場合であっても、各アンテナの状態に応じて、適切に無線信号の信号品質を向上することができる。
【０２３９】
＜発明の実施の形態９＞
続いて、本発明の実施の形態９について説明する。以下、実施の形態９の内容の明確化のため、実施の形態１と同様の内容については適宜省略して説明する。
【０２４０】
携帯端末１では、図３を参照して上述したように、３ＧＰＰにおいて規定されている各周波数バンドのうち、いずれかの周波数バンドを使用して通信を行うが、より詳細には、この周波数バンドが複数に分割された周波数帯域（チャンネル）のそれぞれのうち、いずれかのチャンネルを選択的に使用して通信を行っている。
【０２４１】
具体的には、携帯端末１は、基地局からバンド情報を含む受信信号を受信する。バンド情報は、基地局との間の通信に使用するチャンネルを示す情報である。携帯端末１は、基地局からバンド情報が含まれる受信信号を受信した場合、そのバンド情報が示すチャンネルを使用して以降の信号の送受信を行う。具体的には、ＲＦＩＣ２３は、ＦＥＭ２２から出力された受信信号に含まれるバンド情報が示すチャンネルを対象としてＩＦ信号とＲＦ信号間の周波数の変換を行う。
【０２４２】
一方で、上述したように、各実施の形態では、通信中の周波数バンドをスキャンすることで、ＲＦＩＣ２３が検出した感度の良好な周波数に応じて共振周波数を選択するようにしているが、その手法では、周波数バンドの変更に追従しての共振周波数の変更については十分に対応することができるが、チャンネルの変更に追従しての共振周波数の変更は、ある程度の精度に限定される。
【０２４３】
そこで、本実施の形態９では、使用するチャンネルに応じた周波数を共振周波数に設定することで、より適切な共振周波数を設定可能とし、アンテナ特性をより向上する。
【０２４４】
本実施の形態９に係る携帯端末１の外部構成及び内部構成は、実施の形態１と同様であるため、説明を省略するが、上述のチューナブルデバイス２１の静電容量を再調整する制御を実現するために、ＲＦＩＣ２３に保持されるパラメータ及びＲＦＩＣ２３の動作が一部異なる。よって、ＲＦＩＣ２３で保持されるパラメータの違いを明確にするために、図３５として、本実施の形態９に係る携帯端末１の内部構成を示す。
【０２４５】
ＲＦＩＣ２３は、基地局からバンド情報が含まれる受信信号を受信した場合、そのバンド情報が示すチャンネルを対象としての周波数変換を開始するとともに、アンテナ２０の共振周波数を、バンド情報が示すチャンネルの周波数に応じて変更する。すなわち、ＲＦＩＣ２３は、バンド情報が示すチャンネルにおける周波数が共振周波数となるパラメータを設定するパラメータ設定信号をチューナブルデバイス２１及びＦＥＭ２２に出力する。この周波数は、例えば、使用するチャンネルにおけるアップリンクの周波数帯域（図３の「ＵＬ ｏｐｅｒａｔｉｎｇ ｂａｎｄ」で示す周波数帯域、送信信号の周波数帯域）と、ダウンリンクの周波数帯域（図３の「ＤＬ ｏｐｅｒａｔｉｎｇ ｂａｎｄ」で示す周波数帯域、受信信号の周波数帯域）との間の中間周波数とする。
【０２４６】
図３６Ａ及び図３６Ｂを参照して、具体例を挙げて説明する。まず、ＲＦＩＣ２３が感度の良好な周波数として、図３６Ａに示すように、図３に示す周波数バンド１（図３の「Ｅ−ＵＴＲＡ Ｏｐｅｒａｔｉｎｇ Ｂａｎｄ：１」）における周波数を検出し、その周波数バンドにおけるアップリンクの周波数帯域（図３の「ＵＬ Ｏｐｅｒａｔｉｎｇ Ｂａｎｄ：１９２０〜１９８０ＭＨｚ）とダウンリンクの周波数帯域（図３の「ＤＬ Ｏｐｅｒａｔｉｎｇ Ｂａｎｄ：２１１０〜２１７０ＭＨｚ）の間の中間周波数（２０４５ＭＨｚ）を共振周波数として設定したものとして説明する。すなわち、携帯端末１が周波数バンド１を利用して基地局を介して他の携帯端末と通信を行っている状態である。この場合、ＲＦＩＣ２３は、その周波数バンドについて保持しているパラメータのうち、制御部２５からＳｃｅｎａｒｉｏ設定信号によって設定されているＳｃｅｎａｒｉｏに対応するパラメータを設定するパラメータ設定信号をチューナブルデバイス２１に出力する。すなわち、このパラメータによって設定される静電容量は、上述したように、アンテナ２０の共振周波数を周波数バンドの中間周波数に設定する静電容量となる。
【０２４７】
この場合において、図３６Ｂに示すように、携帯端末１が基地局から受信したバンド情報が示すチャンネルの周波数が、アップリンクの周波数帯域が１９３０ＭＨｚ〜１９４０ＭＨｚであり、ダウンリンクの周波数帯域が２１２０ＭＨｚ〜２１３０ＭＨｚであるものとする。すなわち、ここでは、１つのチャンネルのアップリンクの周波数帯域とアップリンクの周波数帯域のそれぞれにおける周波数帯域が１０ＭＨｚである例について説明する。この場合、ＲＦＩＣ２３は、バンド情報が示すチャンネルにおけるアップリンクの周波数帯域とアップリンクの周波数帯域の間の中間周波数（１９７５ＭＨｚ）を共振周波数とする周波数ように、チューナブルデバイス２１に対して設定するパラメータを変更する。
【０２４８】
具体的には、本実施の形態９では、ＲＦＩＣ２３は、各Ｓｃｅｎａｒｉｏに対応するパラメータとして、周波数バンドに含まれる複数のチャンネルのそれぞれに対応するパラメータを有している。ＲＦＩＣ２３は、Ｓｃｅｎａｒｉｏ１に対応するパラメータとして、Ｓｃｅｎａｒｉｏ１（−Ｎ）・・・Ｓｃｅｎａｒｉｏ１（０）・・・Ｓｃｅｎａｒｉｏ１（Ｎ）を保持しており、Ｓｃｅｎａｒｉｏ２に対応するパラメータとして、Ｓｃｅｎａｒｉｏ２（−Ｎ）・・・Ｓｃｅｎａｒｉｏ２（０）・・・Ｓｃｅｎａｒｉｏ２（Ｎ）を保持してる。ここで、Ｎは、１以上の正整数である。
【０２４９】
各パラメータは、アンテナ２０の共振周波数を、それに対応するチャンネルにおけるアップリンクの周波数帯域とアップリンクの周波数帯域の間の中間周波数に設定するパラメータとなる。すなわち、Ｓｃｅｎａｒｉｏ１（０）及びＳｃｅｎａｒｉｏ２（０）のパラメータは、アンテナ２０の共振周波数を周波数バンドにおける中間周波数に設定するパラメータである。すなわち、Ｓｃｅｎａｒｉｏ１（０）及びＳｃｅｎａｒｉｏ２（０）のパラメータは、アップリンクの周波数帯域とアップリンクの周波数帯域の間の中間周波数が、周波数バンドの中間周波数となるチャンネルでの通信時に設定されるパラメータである。Ｓｃｅｎａｒｉｏ１（−１）〜Ｓｃｅｎａｒｉｏ１（−Ｎ）は、Ｓｃｅｎａｒｉｏ１（０）よりも周波数の低いチャンネルでの通信時に設定されるパラメータである。ｎを任意の整数とした場合、Ｓｃｅｎａｒｉｏ１（ｎ）は、Ｓｃｅｎａｒｉｏ１（−１）、Ｓｃｅｎａｒｉｏ１（−２）・・・と、ｎの値が小さくなるに従って、それに対応するチャンネルの周波数も低くなる。Ｓｃｅｎａｒｉｏ１（１）〜Ｓｃｅｎａｒｉｏ１（Ｎ）は、Ｓｃｅｎａｒｉｏ１（０）よりも周波数の高いチャンネルでの通信時に設定されるパラメータである。ｎを任意の整数とした場合、Ｓｃｅｎａｒｉｏ１（ｎ）は、Ｓｃｅｎａｒｉｏ１（１）、Ｓｃｅｎａｒｉｏ１（２）・・・と、ｎの値が大きくなるに従って、それに対応するチャンネルの周波数も高くなる。
【０２５０】
そして、ＲＦＩＣ２３は、基地局からバンド情報が含まれる受信信号を受信した場合、そのバンド情報が示すチャンネルに対応するパラメータを設定するパラメータ設定信号をチューナブルデバイス２１に出力する。これにより、チューナブルデバイス２１が、その静電容量を設定されたパラメータに対応する静電容量に変更することで、アンテナ２０の共振周波数を、チャンネルにおけるアップリンクの周波数帯域とアップリンクの周波数帯域の間の中間周波数に変更する。
【０２５１】
このように使用するチャンネルにおける周波数帯域間の中間周波数を共振周波数とすることで、アップリンクの周波数帯域で使用する周波数とダウンリンクの周波数帯域で使用する周波数の両方に対して同程度に適した共振周波数とすることができる。
【０２５２】
なお、以上の説明では、使用するチャンネルにおける周波数帯域間の中間周波数を共振周波数として設定するようにしているが、これに限られない。現在の共振周波数よりも、使用するチャンネルにおける周波数帯域間の中間周波数に近い周波数であれば、チャンネルにおける周波数帯域間の中間周波数そのものを共振周波数とせずに、任意の周波数を共振周波数として設定するようにすればよい。しかしながら、好ましくは、使用するチャンネルにおける周波数帯域間の中間周波数そのものを共振周波数とすることで、上述したように、アップリンクの周波数帯域とダウンリンクの周波数帯域の両方に対して同程度に適した共振周波数とすることができる。
【０２５３】
また、以上の説明では、１つのチャンネルに対応する周波数帯域が２つの不連続な周波数帯域（アップリンクの周波数帯域とダウンリンクの周波数帯域）である場合について例示したが、これに限られない。例えば、１つのチャンネルに対応する周波数帯域が連続的な１つの周波数帯域であってもよく、１つのチャンネルに対応する周波数帯域が３つ以上の不連続な周波数帯域であってもよい。すなわち、携帯端末１に適用する通信規格は、図３に示すように、周波数バンドにおける周波数帯域がアップリンクとダウンリンクの２つに分かれている通信規格のみに限定されない。
【０２５４】
以上に説明したように、本実施の形態９では、携帯端末１（携帯無線機）が基地局との通信で使用するチャンネルを示すバンド情報を受信した場合、そのバンド情報が示すチャンネルの少なくとも１つの周波数帯域間における中心周波数に近づけるように、チューナブルデバイス２３を制御してアンテナ２０の共振周波数を設定するＲＦＩＣ２３（処理回路）を有するようにしている。ここで、チャンネルの周波数帯域が連続的な１つである場合には、「周波数帯域間における中心周波数」とは、その１つの周波数帯域の中間周波数のことを意味する。
【０２５５】
よって、本実施の形態９によれば、チャンネルが変更された場合であっても、変更後のチャンネルにより適した共振周波数とすることができるため、より無線信号の信号品質を向上することができる。
【０２５６】
＜発明の実施の形態１０＞
続いて、本発明の実施の形態１０について説明する。以下、実施の形態１０の内容の明確化のため、実施の形態１と同様の内容については適宜省略して説明する。
【０２５７】
本実施の形態１０に係る携帯端末１の外部構成及び内部構成は、実施の形態１と同様であるため、説明を省略する。図３７は、本実施の形態１０に係るチューナブルデバイス２１の内部構成を示す構成図である。
【０２５８】
図３７は、本実施の形態１０に係るチューナブルデバイス２１として、実施の形態１に係る携帯端末１を更に具体的に示す図３７となる。
【０２５９】
チューナブルデバイス２１は、可変コンデンサ２１０、コンデンサ２１１、及びコイル２１２を有する。可変コンデンサ２１０は、アンテナ２０に直列に接続されている。コンデンサ２１１及びコイル２１２は、アンテナ２０に並列に接続されている。
【０２６０】
可変コンデンサ２１０は、上述したように、アンテナ２０の共振周波数を調整するためのコンデンサである。コンデンサ２１１及びコイル２１２は、アンテナ２０のインピーダンスを予め調整するために設けられている。よって、コンデンサ２１１は、予め定められた固定的な静電容量を有し、コイル２１２は、予め定められた固定的なインダクタンスを有する。
【０２６１】
ここで、コンデンサ２１１の静電容量及びコイル２１２のインダクタンスの決定方法について説明する。図３８は、スミスチャートを示す図である。最もアンテナ特性の良いインピーダンスは、スミスチャートにおける中心点であることが知られている。アンテナに対して直列のコンデンサ（本実施の形態１０に係る携帯端末１では可変コンデンサ２１０に対応する）を接続した場合には、図３８に示すように、定抵抗円に沿って反時計回りにインピーダンスが変化する。なお、この変化幅は、コンデンサの静電容量が小さい程大きくなる。このように、可変コンデンサ２１０によってアンテナ２０のインピーダンスを補正可能とするためには、少なくとも携帯端末１が自由空間上に存在する状態において、送受信の対象とする無線信号の周波数のインピーダンスがスミスチャートにおいて（スミスチャートにプロットした場合に）横軸よりも上半面に位置している必要がある。
【０２６２】
そこで、本実施の形態１０では、可変コンデンサ２１０の静電容量を調整して、送受信の対象となる無線信号の周波数のインピーダンスをスミスチャートの中心点に近づけることでアンテナ特性を改善することを可能とするために、コンデンサ２１１、及びコイル２１２によって、携帯端末１が自由空間上に存在する状態におけるアンテナ２０のインピーダンスを調整している。
【０２６３】
図３９は、スミスチャートにおいて定コンダクタンス円が見えるようにしたアドミタンスチャートを示す図である。アンテナに対して並列のコンデンサ（本実施の形態１０に係る携帯端末１ではコンデンサ２１１に対応する）を接続した場合には、図３９に示すように、定コンダクタンス円に沿って時計回りにインピーダンスが変化する。なお、この変化幅は、コンデンサの静電容量が大きくなる程大きくなる。また、アンテナに対して並列のコイル（本実施の形態１０に係る携帯端末１ではコイル２１２に対応する）を接続した場合には、図３６に示すように、定コンダクタンス円に沿って反時計回りにインピーダンスが変化する。なお、この変化幅は、コイルのインダクタンスが小さい程大きくなる。すなわち、アンテナに対して並列にコイルを接続することで、スミスチャートにおいてインピーダンスを上方向に変化させることができる。
【０２６４】
よって、本実施の形態１０では、携帯端末１が自由空間上にある状態において、送受信の対象となる無線信号の周波数のインピーダンスがスミスチャートにおいて横軸よりも上半面に位置するようにアンテナ２０に対してコイル２１２が並列に接続されている。すなわち、コイル２１２は、送受信の対象となる無線信号の周波数のインピーダンスがスミスチャートにおいて横軸よりも上半面に位置するように予め設定されたインダクタンスを有している。
【０２６５】
なお、コンデンサ２１１は、コイル２１２を接続することによって、コイル２１２によって携帯端末１が送受信対象とする無線信号の各周波数におけるインピーダンスがスミスチャートにおいて反時計回りにねじれた状態を打ち消すために微調整する役割を担っている。すなわち、携帯端末１が送受信対象とする無線信号の各周波数におけるインピーダンスをスミスチャートにおいて時計回りに修正して反時計周りのねじれを解消するためにアンテナ２０に対してコンデンサ２１１が並列に接続されている。すなわち、コンデンサ２１１は、各周波数におけるインピーダンスを所望の状態にするために予め設定された静電容量を有している。
【０２６６】
以上に説明したように、本実施の形態１０は、アンテナ２０の共振周波数を調整するためにアンテナ２０に直列に接続されてアンテナ２０の静電容量を変更する可変コンデンサ２１０と、アンテナ２０に並列に接続されるコイル２１２を有するようにしている。そして、このコイル２１２は、携帯端末１（携帯無線機）が人体の影響を受けていない状態において、携帯端末１が送受信する無線信号の周波数（携帯端末１が処理対象とする周波数）におけるアンテナ２０のインピーダンスがスミスチャートにおいて上半面に位置するように予め設定されたインダクタンスを有するようにしている。
【０２６７】
ここで、人体の影響を受けてアンテナ２０の静電容量が増加した場合には、図３８においてアンテナ２０のインピーダンスの反時計回り方向に対する変化幅が小さくなるため、アンテナ２０のインピーダンスは時計周りに変化することになる。よって、人体の影響を受けていない状態においてインピーダンスがスミスチャートの上半面に位置するようにすることで、人体の影響を受けている状態か否かに関わらず、携帯端末１が処理対象とする周波数におけるアンテナ２０のインピーダンスが、常に、スミスチャートの上半面に位置するようにすることができる。すなわち、本実施の形態１０によれば、人体の影響を受けている状態か否かに関わらず、常に、可変コンデンサ２１０の静電容量を変更することによる、アンテナ２０の共振周波数の補正が可能となる。
【０２６８】
＜発明の実施の形態の概要＞
上記の実施の形態は、その概要として次に説明する構成としても捉えることができる。以下、上記の実施の形態の概要構成について説明する。図４０は、本発明の実施の形態に係る携帯端末の概略構成となる携帯無線機９を示す構成図である。
【０２６９】
携帯無線機９は、アンテナ９０、チューナブルデバイス９１、センサ９２、及び制御部９３を有する。携帯無線機９は、携帯端末１〜８に対応する。
【０２７０】
アンテナ９０は、無線信号を送受信する。アンテナ９０は、アンテナ２０、４０に対応する。
【０２７１】
チューナブルデバイス９１は、アンテナ９０の共振周波数を調整する。チューナブルデバイス９１は、チューナブルデバイス２１、４１に対応する。
【０２７２】
センサ９２は、携帯無線機９に対する物体の接触状態又は近接状態を検出し、検出した接触状態又は近接状態に対応するセンサ値を出力する。センサ９２は、グリップセンサ２４、２６、２７、２８及び近接センサ１５に対応する。
【０２７３】
制御部９３は、チューナブルデバイス９１を制御する。制御部９３は、制御部２５及びＲＦＩＣ２３、４３に対応する。
【０２７４】
ここで、制御部９３は、センサ９２から出力されたセンサ値に基づいて、そのセンサ値に対応する物体の接触状態又は近接状態によって生じるアンテナ９０の共振周波数のずれを低減するように、チューナブルデバイス９１を制御してアンテナ９０の共振周波数を補正する。
【０２７５】
このように、本実施の形態では、アンテナ９０によって送受信される送信信号の信号品質にも受信信号の信号品質にも同様に影響を与える物体の接触状態又は近接状態の検出結果に基づいて、アンテナ９０の共振周波数を補正し、アンテナ９０のアンテナ特性を改善するようにしている。よって、本実施の形態によれば、送信信号及び受信信号の信号品質を総合的に最適化にすることができるため、より無線信号の信号品質を向上することができる。
【０２７６】
なお、本発明は上記の実施の形態に限られたものではなく、趣旨を逸脱しない範囲で適宜変更することが可能である。例えば、上述した実施の形態１乃至１０は、任意の２つ以上を組み合わせて実施するようにしてもよい。
【０２７７】
一例として、図４１に、実施の形態１、４、６を組み合わせた実施の形態に係る携帯端末５を示す。例えば、このように、複数の実施の形態１、４、６を組み合わせて実施することも可能である。この実施の形態に係る携帯端末５の外部構成及び内部構成は、実施の形態７と同様であるため、説明を省略するが、ＲＦＩＣ２３に保持されるパラメータ及び制御部２５の動作が一部異なる。
【０２７８】
この実施の形態では、携帯端末５に対する人体の接触又は近接が検出されておらず、携帯端末１が自由空間上にある状態をＳｃｅｎａｒｉｏ１とし、携帯端末５に対する人体の接触がグリップセンサ２４によって検出されている状態をＳｃｅｎａｒｉｏ２とし、携帯端末５に対する人体の接触が近接センサ１５によって検出されている状態をＳｃｅｎａｒｉｏ３とし、携帯端末５に対する人体の接触又は近接がアプリの実行として検出されている状態をＳｃｅｎａｒｉｏ４として管理している。すなわち、Ｓｃｅｎａｒｉｏ１〜Ｓｃｅｎａｒｉｏ４のそれぞれに対応するパラメータは、Ｓｃｅｎａｒｉｏ１〜Ｓｃｅｎａｒｉｏ４の状態に適したパラメータとして予め任意に定められている。
【０２７９】
よって、制御部２５は、グリップセンサ２４から出力された静電容量通知信号に基づいて、携帯端末５に対する使用者の接触を検出した場合、Ｓｃｅｎａｒｉｏ２を設定するＳｃｅｎａｒｉｏ設定信号をＲＦＩＣ２３に出力する。また、制御部２５は、近接センサ１５から出力された距離通知信号に基づいて、携帯端末５に対する使用者の近接を検出した場合、Ｓｃｅｎａｒｉｏ３を設定するＳｃｅｎａｒｉｏ設定信号をＲＦＩＣ２３に出力する。また、制御部２５は、アプリ３００、３０１、３０２の実行状況に基づいて、携帯端末５に対する使用者の近接を検出した場合、Ｓｃｅｎａｒｉｏ４を設定するＳｃｅｎａｒｉｏ設定信号をＲＦＩＣ２３に出力する。また、制御部２５は、携帯端末５に対する使用者の接触又は近接が検出されていない場合、Ｓｃｅｎａｒｉｏ１を設定するＳｃｅｎａｒｉｏ設定信号をＲＦＩＣ２３に出力する。なお、Ｓｃｅｎａｒｉｏの設定後のＲＦＩＣ２３及びチューナブルデバイス２１の動作は、上述と同様であるため、説明を省略する。これによれば、それぞれの状態に応じて適切に共振周波数の補正をすることができる。
【０２８０】
なお、グリップセンサ２４、近接センサ１５、及びアプリ３００、３０１、３０２の実行の検出要因のうち、任意の２つ以上の検出要因によって、携帯端末５に対する使用者の接触又は近接を検出した場合には、予め定めた優先度の高いパラメータを採用するようにしてもよく、その場合に設定するパラメータを別途用意しておくようにしてもよい。すなわち、複数の実施の形態を組み合わせて実施する場合には、実施の形態のそれぞれでの検出要因毎、及び任意の２つ以上の検出要因の組毎に、異なるＳｃｅｎａｒｉｏ及びパラメータを用意するようにしてもよい。
【０２８１】
また、上記の実施の形態では、チューナブルデバイス２１をアンテナ２０に対して直列に接続した場合について説明したが、チューナブルデバイス２１を並列に接続するようにしてもよい。そのようにしても同様のアンテナ特性改善効果を奏することができる。
【０２８２】
また、上記の実施の形態では、人体の手や顔の影響により、アンテナ特性が劣化するものとして説明しているが、アンテナ特性に影響を与える物体であれば、人体の他の部分（胴体及び胸部等）や、人体以外の物体による影響があった場合にも、当然に同様のアンテナ特性改善効果を奏することができる。
【０２８３】
また、上記の実施の形態では、例えば図１に示すように携帯端末１がスマートフォン型の携帯電話である場合について説明したが、様々な形状（折畳形状及びスライド形状等）の携帯電話に対しても当然に適用することができる。また、上述の実施の形態で説明した周波数も一例にすぎず、共振周波数がどの周波数であっても同様のアンテナ特性改善効果を奏することができる。
【０２８４】
また、携帯端末は、携帯電話に限られず、様々な無線通信（ＧＰＳ／Ｂｌｕｅｔｏｏｔｈ（登録商標）／ＷＬＡＮ／ＴＶ等）を行う装置であってもよい。
【０２８５】
ここで、上記実施の形態において制御部２５が実行するプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【０２８６】
１、２、３、４、５、６、７、８  携帯端末
９  携帯無線機
１０  スピーカー
１１  マイクロフォン
１２  タッチパネル
１３  キー
１４ａ、１４ｂ、１４ｃ、１４ｄ、１４ｅ、１４ｆ、１４ｇ、１４ｈ  電極
１５  近接センサ
２０、４０、９０  アンテナ
２１、４１、９１  チューナブルデバイス
２２、４２  ＦＥＭ
２３、４３  ＲＦＩＣ
２４、２６、２７、２８  グリップセンサ
２５、９３  制御部
３０  メモリ
９２  センサ
２１０  可変コンデンサ
２１１  コンデンサ
２１２  コイル
３００  通話アプリ
３０１  メーラ
３０２  ブラウザ
【図１】
2015046745.tif 000003
【図２】
2015046745.tif 000004
【図３】
2015046745.tif 000005
【図４Ａ】
2015046745.tif 000006
【図４Ｂ】
2015046745.tif 000007
【図５】
2015046745.tif 000008
【図６】
2015046745.tif 000009
【図７】
2015046745.tif 000010
【図８Ａ】
2015046745.tif 000011
【図８Ｂ】
2015046745.tif 000012
【図９】
2015046745.tif 000013
【図１０】
2015046745.tif 000014
【図１１】
2015046745.tif 000015
【図１２】
2015046745.tif 000016
【図１３Ａ】
2015046745.tif 000017
【図１３Ｂ】
2015046745.tif 000018
【図１４Ａ】
2015046745.tif 000019
【図１４Ｂ】
2015046745.tif 000020
【図１４Ｃ】
2015046745.tif 000021
【図１５】
2015046745.tif 000022
【図１６】
2015046745.tif 000023
【図１７】
2015046745.tif 000024
【図１８】
2015046745.tif 000025
【図１９】
2015046745.tif 000026
【図２０】
2015046745.tif 000027
【図２１】
2015046745.tif 000028
【図２２】
2015046745.tif 000029
【図２３】
2015046745.tif 000030
【図２４】
2015046745.tif 000031
【図２５】
2015046745.tif 000032
【図２６】
2015046745.tif 000033
【図２７】
2015046745.tif 000034
【図２８Ａ】
2015046745.tif 000035
【図２８Ｂ】
2015046745.tif 000036
【図２９Ａ】
2015046745.tif 000037
【図２９Ｂ】
2015046745.tif 000038
【図２９Ｃ】
2015046745.tif 000039
【図３０】
2015046745.tif 000040
【図３１】
2015046745.tif 000041
【図３２】
2015046745.tif 000042
【図３３】
2015046745.tif 000043
【図３４】
2015046745.tif 000044
【図３５】
2015046745.tif 000045
【図３６Ａ】
2015046745.tif 000046
【図３６Ｂ】
2015046745.tif 000047
【図３７】
2015046745.tif 000048
【図３８】
2015046745.tif 000049
【図３９】
2015046745.tif 000050
【図４０】
2015046745.tif 000051
【図４１】
2015046745.tif 000052